(57)【要約】【課題】演出効果の高い入力操作手段を備えた遊技機を提供する。【解決手段】入力装置３００には、遊技者によって操作される操作部３０１の上面の反対側に位置する内部領域が遊技者から透視可能に構成され、内部領域には、操作部３０１に対して遊技者が回動操作をした場合における操作部３０１の回動方向と同一方向側及び逆側に回動可能であって遊技者から視認可能な装飾部３０２が設けられている。このため、遊技者による操作部３０１の回動操作が行われる前に装飾部３０２を変位動作させることで遊技者に対して必要な回動操作方向を示唆したり、回動操作の後に当該操作と同方向又は逆方向に装飾部３０２を回動させることにより所定の操作が行われたことを分かり易く示すことができる。よって、演出効果の高い遊技機とすることができる。【選択図】  図１０
2018043051.tif 000002
【特許請求の範囲】
【請求項１】
遊技者によって操作可能な操作部を有する入力操作手段を備えた遊技機において、
前記操作部には、透光性を有する材料により形成され、遊技者によって操作される操作面が設けられ、該操作面の奥側に位置する内部領域が遊技者から透視可能に構成され、
該内部領域には、遊技者による前記操作部への入力操作待ちの状態において、該操作部に対して遊技者が所定の操作をした場合における該操作部の変位方向と同一方向側又は逆側に少なくとも変位可能であって、遊技者から視認可能な装飾部が設けられていることを特徴とする遊技機。
【請求項２】
前記遊技機は、パチンコ遊技機またはスロットマシン等の回胴式遊技機であることを特徴とする請求項１に記載の遊技機。
【発明の詳細な説明】
【技術分野】
【０００１】
本発明は、パチンコ機等の遊技機に関する。
【背景技術】
【０００２】
遊技機の一種であるパチンコ機等には、遊技者によって入力操作が行われる入力操作手段として入力装置が設けられる。入力装置としては、押しボタンや、前後左右に傾倒可能な操作レバー、或いは、回転操作式のダイヤルなどが挙げられる。遊技中や、遊技待ちのデモ画面の表示中において、遊技者は、入力装置を通じて演出の選択や決定操作を実行することができ、その操作がなされた場合には、演出を表示する表示画面において操作に対
応した表示がなされたり、入力装置の操作部及びその周辺部分が発光したりして、機種に対応した演出が実行可能とされている（例えば特許文献１参照）。
【先行技術文献】
【特許文献】
【０００３】
【特許文献１】特開２０１１−５１８１号公報
【発明の概要】
【発明が解決しようとする課題】
【０００４】
従来の遊技機において、入力装置を操作した場合に入力装置自体又はその周辺部分が発光するだけでは、他の遊技機メーカーや他機種との差別化が図り難い。このため、入力装置及びその周辺部分における装飾を用いた演出には改善の余地がある可能性がある。
【０００５】
本発明は、上記例示した事情等に鑑みてなされたものであり、演出効果の高い入力操作手段を備えた遊技機を提供することを目的とするものである。
【課題を解決するための手段】
【０００６】
上記課題を解決すべく、請求項１記載の発明は、
遊技者によって操作可能な操作部を有する入力操作手段を備えた遊技機において、
前記操作部には、透光性を有する材料により形成され、遊技者によって操作される操作面が設けられ、該操作面の奥側に位置する内部領域が遊技者から透視可能に構成され、
該内部領域には、遊技者による前記操作部への入力操作待ちの状態において、該操作部に対して遊技者が所定の操作をした場合における該操作部の変位方向と同一方向側又は逆側に少なくとも変位可能であって、遊技者から視認可能な装飾部が設けられていることを特徴とする。
【発明の効果】
【０００７】
本発明によれば、演出効果の高い入力操作手段を備えた遊技機を提供することができる。
【図面の簡単な説明】
【０００８】
【図１】パチンコ機の正面図である。
【図２】前方から見たパチンコ機の斜視図である。
【図３】パチンコ機の主要な構成を展開して示す斜視図である。
【図４】パチンコ機の主要な構成を展開して示す斜視図である。
【図５】中間ユニットの正面図である。
【図６】遊技盤の正面図である。
【図７】中間ユニットの背面図である。
【図８】裏パックユニットの背面図である。
【図９】パチンコ機の背面図である。
【図１０】入力装置の平面図である。
【図１１】入力装置の正面図である。
【図１２】入力装置の斜視図である。
【図１３】入力装置の下面図である。
【図１４】斜め上側から見た入力装置の分解斜視図である。
【図１５】斜め下側から見た入力装置の分解斜視図である。
【図１６】（ａ）は、図１３のＡ−Ａ線における断面図であり、（ｂ）は図１６（ａ）のＢ−Ｂ線における断面図である。
【図１７】斜め上側から見た動作ユニットの分解斜視図である。
【図１８】斜め下側から見た動作ユニットの分解斜視図である。
【図１９】動作ユニットの動作を説明するための断面図である。
【図２０】（ａ）はボタンカバーの平面図であり、（ｂ）は図２０（ａ）のＣ−Ｃ線における断面図であり、（ｃ）は図２０（ａ）のＤ−Ｄ線における断面図である。
【図２１】斜め上側から見た装飾ユニットの分解斜視図である。
【図２２】斜め下側から見た装飾ユニットの分解斜視図である。
【図２３】（ａ）は装飾ユニットの動作を説明するための断面図であり、（ｂ）は装飾ユニットの部分拡大図である。
【図２４】操作部３０１の動作を説明するための断面図であり、（ａ）は非押圧状態を示し、（ｂ）は押圧状態を示している。
【発明を実施するための形態】
【０００９】
以下、本発明の実施形態として、遊技機の一種であるパチンコ遊技機（以下、「パチンコ機」という。）を詳細に説明する。図１はパチンコ機１０の正面図、図２はパチンコ機１０を前方から見た斜視図、図３及び図４はパチンコ機１０の主要な構成を展開して示す斜視図、図５は中間ユニット１３の正面図である。なお、図３及び図５では便宜上パチンコ機１０の遊技領域２３ａ内の構成を省略している。
【００１０】
パチンコ機１０は、図３に示すように、当該パチンコ機１０の外殻を形成する外枠１１と、この外枠１１に対して前方に回動可能に取り付けられた遊技機本体１２と、を有する。外枠１１は、木製の板材を上辺及び下辺とし、アルミ製の板材を左右の辺とした四辺を固定した枠状に形成される。パチンコ機１０は、外枠１１を島設備に取り付け固定することにより遊技場に設置される。なお、パチンコ機１０において外枠１１は必須の構成ではなく、外枠１１又は外枠１１と同一の内形を有し、外枠１１の遊技機本体１２支持構造及び施錠構造を有する部材が遊技場に備え付けられた構成としても良い。
【００１１】
遊技機本体１２は、図３に示すように、中間ユニット１３と、その中間ユニット１３の前方に配置される前扉枠１４と、中間ユニット１３の後方に配置される裏パックユニット１５とを備えている。遊技機本体１２のうち中間ユニット１３が外枠１１に対して回動可能に支持されている。
【００１２】
中間ユニット１３には、図３に示すように、前扉枠１４が回動可能に支持されており、正面視で左側を回動基端側（開閉基端側）とし、右側を回動先端側（開閉先端側）として前方へ回動可能とされている。また、中間ユニット１３には、図４に示すように、裏パックユニット１５が回動可能に支持されており、正面視で左側を回動基端側（開閉基端側）とし、右側を回動先端側（開閉先端側）として後方へ回動可能とされている。
【００１３】
中間ユニット１３には、図３に示すように、その回動先端部に施錠機構１６が設けられており、遊技機本体１２を外枠１１に対して開放不能に施錠状態とする機能と、前扉枠１４を中間ユニット１３に対して開放不能に施錠状態とする機能を有している。これらの各施錠状態は、図１に示すようにパチンコ機１０前面にて露出させて設けられた施錠機構１６のキーシリンダに対して、解錠キーを用いて解錠操作を行うことにより、それぞれ解除される。
【００１４】
中間ユニット１３は、図３に示すように、外形が外枠１１とほぼ同一形状をなす枠状の枠ユニット２１を主体に構成されている。枠ユニット２１は、前面側より遊技盤２３が着脱可能に取り付けられる内枠としての機能を有し、この遊技盤２３に形成される遊技領域２３ａが中間ユニット１３の前面側に露出可能に取り付けられる。遊技領域２３ａ内の様子は、図３に示すように、前扉枠１４の背面側に設けられた窓パネルユニット３０を通じてパチンコ機１０前方から視認可能となっている。
【００１５】
前扉枠１４は、中間ユニット１３の前面側に回動可能に取り付けられている。前扉枠１４の回動基端側には、図２に示すように、前扉取付金具５７，５８が設けられ、この前扉取付金具５７，５８が中間ユニット１３に係合することにより、中間ユニット１３に対して前扉枠１４が回動可能に支持される。
【００１６】
前扉枠１４は、図２及び図３に示すように、中間ユニット１３と外形がほぼ同一の長方形状に形成されている。前扉枠１４には、窓パネルユニット３０の外周縁が正面視で露出しないように窓パネルユニット３０より小さく開口形成された窓部１４ａが設けられる（図２参照）。この窓部１４ａが窓パネルユニット３０によって背面側から覆われることで、窓パネルユニット３０を取り付けた前扉枠１４によって中間ユニット１３の前面側のほぼ全域が覆われる。
【００１７】
窓パネルユニット３０は、図３に示すように、窓部１４ａより大きな外形で透明性を有する前後一対の透明ガラス３１，３２と、これら透明ガラス３１，３２を一体化する固定枠３３とを備えている。固定枠３３は、合成樹脂により透明ガラス３１，３２より一回り大きな環状に形成され、透明ガラス３１，３２の外周縁が固定枠３３に接着されることで窓パネルユニット３０は一体化された複層ガラスとされている。
【００１８】
なお、窓パネルユニット３０は、透明ガラス３１，３２によって無色透明に形成されているが、これに限定されることはなく合成樹脂によって無色透明に形成されていてもよく、パチンコ機１０前方から窓パネルユニット３０を通じて遊技領域２３ａを視認可能であれば無色透明でなく有色透明に形成されていても良い。
【００１９】
前扉枠１４において窓部１４ａの周囲には、図１に示すように、発光手段としての発光ダイオード（ＬＥＤ）等を内蔵した電飾部２４が複数設けられている。これら電飾部２４では、大当たり時や所定のリーチ時等における遊技状態の変化に応じて点灯や点滅が行われる。また、窓部１４ａの上側の電飾部２４には、払出球が不足する等の所定のエラー時に点灯するＬＥＤと、賞球払出中に点灯するＬＥＤとが内蔵されている。また、窓部１４ａの右上側及び左上側には、多数の穴が形成された金属板等により構成された音出力部２７が設けられ、音出力部２７の奥側には、遊技状態に応じた効果音などを出力するスピーカが内蔵されている。
【００２０】
前扉枠１４における窓部１４ａの下方には、図２に示すように、手前側へ膨出した上側膨出部２８と下側膨出部２９とが上下に並設されている。上側膨出部２８には上方に開口した上皿２８ａが設けられており、下側膨出部２９には同じく上方に開口した下皿２９ａが設けられている。上皿２８ａは、払出装置２２４より払い出された遊技球を一旦貯留し、一列に整列させながら遊技球発射機構１１０側へ導く機能を有している。また、下皿２９ａは、上皿２８ａ内にて余剰となった遊技球を貯留する機能を有している。なお、上皿２８ａと下皿２９ａとに分けて複数箇所に遊技球を貯留する部位を設ける必要はなく、下皿２９ａを廃止して上皿２８ａのみとした１つの貯留部のみを有する構成としても良い。
【００２１】
上側膨出部２８における上皿２８ａ（遊技球の貯留領域）の手前側には、遊技者らにより手動操作される入力装置３００が取り付けられている。入力装置３００は、図柄表示装置９４の表示画面９４ａ等にて遊技者の操作に対応した演出が行われる場合に使用される操作装置である。この入力装置３００は、本発明の特徴部分を構成する部位であり、構成の詳細については後述する。
【００２２】
下皿２９ａは、前扉枠１４の下側部分において正面視左側にずれて設置され、下皿２９ａに対して正面視右側には、略矩形の箱状に形成され、平面状の音出力部２９ｂが前面側に向けて形成されたスピーカ収容部２９ｃが設けられている。スピーカ収容部２９ｃは、
下側膨出部２９の一部分として下皿２９ａに連続して形成され、スピーカ収容部２９ｃの内部には、遊技状態に応じた効果音などを出力するスピーカが収容されている。前扉枠１４においては、上部２カ所に設置された音出力部２７と、下部に設置された音出力部２９ｂとの合計３カ所から効果音などが出力される。
【００２３】
前扉枠１４における下側膨出部２９の右側には、図２に示すように、手前側へ突出するようにして発射操作装置４５が設けられている。発射操作装置４５は、遊技領域２３ａに遊技球を発射すべく操作される装置であり、図２に示すように、操作ベース４６に対して、環状の操作ハンドル４７が回転可能に軸支されてなり、遊技球の発射操作に際して操作ハンドル４７が遊技者により回転操作されるものである。この場合、操作ハンドル４７の回転操作量は、操作ベース４６に内蔵された操作量検出手段としての可変抵抗器により検出される。また、発射操作装置４５には、操作ハンドル４７を遊技者が触れていることを検知するためのタッチセンサが操作ベース４６に内蔵されるとともに、操作ハンドル４７を回転操作した状態において遊技球の発射を停止させるために操作される停止操作レバー４８が設けられている。
【００２４】
前扉枠１４の背面側には、図３に示すように、通路形成ユニット５０が取り付けられている。通路形成ユニット５０は、合成樹脂により成形されており、上皿２８ａに通じる前扉側上皿通路部５１と、下皿２９ａに通じる前扉側下皿通路部５２と、ファール球通路部５５を有している。通路形成ユニット５０の上側隅部には後方に突出し上方に開放された払出球受口部５３が形成されており、当該受口部５３が仕切壁５４によって左右に仕切られることで前扉側上皿通路部５１の通路入口と前扉側下皿通路部５２の通路入口とがそれぞれ形成されている。
【００２５】
ファール球通路部５５は、遊技球発射機構１１０から発射された遊技球のうち遊技領域２３ａまで至らなかった遊技球をファール球として下皿２９ａに排出する通路を形成する部位である。ファール球通路部５５には、図３に示すように、上方に開放されたファール球受口部５６が設けられる。このファール球受口部５６よりファール球が受け入れられ、前扉側下皿通路部５２にファール球が案内されることにより、ファール球通路部５５に入った遊技球は下皿２９ａに排出される。なお、ファール球通路部５５は、下皿２９ａでなく、上皿２８ａに接続され、ファール球が上皿２８ａに排出される構成としても良い。
【００２６】
遊技球発射機構１１０は、図３に示すように、前扉枠１４を開放した場合に前面側に露出される部品であり、中間ユニット１３の前面側右下部分に設けられている。この遊技球発射機構１１０は、図５に示すように、発射装置として設けられた電磁式の発射用ソレノイド１１１と、発射レール１１２と、球送り装置１１３とを備えている。球送り装置１１３は、上皿２８ａに貯留された遊技球を発射レール１１２上に１個ずつ供給する。この場合、この供給される遊技球は発射用ソレノイド１１１において打出し部として設けられたプランジャ１１４の突出経路上に配置される。そして、発射用ソレノイド１１１への電気的な信号の入力により、プランジャ１１４が発射レール１１２上の遊技球に向けて移動し、当該遊技球は遊技領域２３ａに向けて打出される。なお、遊技球発射機構１１０の電動アクチュエータは、発射用ソレノイド１１１に限定されることはなく、発射モータなどを用いても良い。
【００２７】
中間ユニット１３の左側であって発射レール１１２の左方には、図５に示すように、皿通路形成部材１２１が配設されている。枠ユニット２１には、皿通路形成部材１２１が設けられる部位を前後方向に貫通する貫通孔が設けられ、この貫通孔を前面側から覆うようにして皿通路形成部材１２１は、枠ユニット２１にネジ止めされている。
【００２８】
皿通路形成部材１２１は、図５に示すように、本体側上皿通路部１２２と本体側下皿通
路部１２３とを有している。前扉枠１４が閉鎖状態とされた場合には、皿通路形成部材１２１の下側部分に前扉枠１４に設けられる通路形成ユニット５０の払出球受口部５３（図３参照）が入り込む。そして、本体側上皿通路部１２２の下方には前扉側上皿通路部５１が配置され、本体側下皿通路部１２３の下方には前扉側下皿通路部５２が配置される。
【００２９】
皿通路形成部材１２１の下側部分には、図５に示すように、本体側上皿通路部１２２及び本体側下皿通路部１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能に設けられる。また、枠ユニット２１には、シャッタ１２４を阻止位置に向けて付勢する付勢部材が取り付けられ、前扉枠１４を中間ユニット１３に対して開いた状態では付勢部材の付勢力によってシャッタ１２４が阻止位置に留まる構成となっている。これにより、本体側上皿通路部１２２又は本体側下皿通路部１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた払出球受口部５３の外周部分により上記付勢力に抗してシャッタ１２４が許容位置に押し戻される。この状態では、本体側上皿通路部１２２及び前扉側上皿通路部５１が連通し、本体側下皿通路部１２３及び前扉側下皿通路部５２が連通して、遊技球の流下が許容される。
【００３０】
次に、遊技領域２３ａを形成する遊技盤２３の構成を、図６に基づいて説明する。図６は遊技盤２３の正面図である。
【００３１】
遊技盤２３は、木製の合板で形成した板材と同板材の前側の板面を覆うシート材とを有する遊技板２３ｂを備えており、その全面が枠ユニット２１の前面側に露出している。この露出している部位、すなわち遊技盤２３の前面には、遊技球が流下する遊技領域２３ａが形成されている。上記したように遊技領域２３ａは透明ガラス３１，３２によって前面側が覆われているため、後側の透明ガラス３２によって遊技領域２３ａの前面側が区画される。また、遊技領域２３ａの背面側は遊技板２３ｂの前面によって区画される。なお、遊技板２３ｂを構成する板材は、合板に限らず一枚板で形成しても良いし、木製に限らず例えば透明な合成樹脂製の板材または成形品で形成しても良い。
【００３２】
遊技領域２３ａは、正面視において遊技盤２３のほぼ全域に渡る上下及び左右方向の寸法に設定され、右下部分のみが右下側に突出した略円形状に形成されている。遊技領域２３ａは、その外周が誘導レール１００及び区画部材１０７により区画されている。誘導レール１００は、遊技盤２３の前面左側部分に設けられる円弧状の内レール１０１と外レール１０２とからなり、これら内レール１０１と外レール１０２とにより遊技領域２３ａの左側に円弧状の誘導通路１０３を形成する。
【００３３】
誘導通路１０３の下側端部には、誘導通路１０３の入口部１０４が形成され、この入口部１０４と発射レール１１２とは離間して設けられる（図５参照）。誘導通路１０３の上側端部には、誘導通路１０３の出口部１０５が形成され、その出口部１０５の右上側には遊技領域２３ａに到達した遊技球の誘導通路１０３内への戻りを防止する戻り防止部材１０６が取り付けられている。
【００３４】
発射操作装置４５（図１参照）の操作ハンドル４７が遊技者により手動操作された場合、中間ユニット１３の右下部分に設けられた遊技球発射機構１１０（図５参照）から発射された遊技球は、誘導通路１０３を経由し、誘導通路１０３の出口部１０５において戻り防止部材１０６により閉鎖された遊技領域２３ａの入口を押し広げて遊技領域２３ａ内に進入する。遊技球の発射力が弱すぎる場合には、遊技球が遊技領域２３ａまで至らず誘導通路１０３内で落下し始め、誘導通路１０３の入口部１０４と発射レール１１２との間に
落下する。前扉枠１４の閉鎖状態においては、この入口部１０４と発射レール１１２との間にファール球受口部５６が配置され、遊技領域２３ａまで至らなかった遊技球はファール球通路部５５を経由して下皿２９ａへ排出される。
【００３５】
区画部材１０７は、遊技領域２３ａの右側を区画するものであり、合成樹脂を成形して縦長に形成され、遊技板２３ｂの前面にネジ止めされている。この区画部材１０７は、外レール１０２の上側における右側端部を起点とし、内レール１０１の下側における右側端部まで延在する大きさとされている。
【００３６】
なお、区画部材１０７の上端部には、機種名等が印字された証紙１０７ａが貼り付けられ、区画部材１０７の下端部には、メーカー名や製造番号などが印字された証紙１０７ｂを貼り付けた台座部品が固定されている。これら証紙１０７ａ，１０７ｂは、透明ガラス３１，３２を介してパチンコ機１０前方から視認可能な位置に配置される。
【００３７】
遊技板２３ｂには、ルータ加工が施されることによって前後方向に貫通する大小複数の貫通孔が形成されている。各貫通孔には、一般入賞口８１、可変入賞口８２、上作動口８３ａ、下作動口８３ｂ及びスルーゲート８４等の遊技球が入球する部位を形成する各部材が取り付けられ、また、センターフレーム８５及び主表示装置９６等が取り付けられている。
【００３８】
一般入賞口８１、可変入賞口８２、上作動口８３ａ及び下作動口８３ｂへの入球が発生すると、それが遊技盤２３の背面側等に配設された検知手段としてのセンサにより検知され、その検知結果に基づいて所定数の賞球の払い出しが実行される。この場合、上作動口８３ａへの入球が発生した場合及び下作動口８３ｂへの入球が発生した場合には３個の賞球の払い出しが実行され、一般入賞口８１への入球が発生した場合には１０個の賞球の払い出しが実行され、可変入賞口８２への入球が発生した場合には１５個の賞球の払い出しが実行される。但し、これら賞球の個数は任意であり、例えば上作動口８３ａに係る賞球個数よりも下作動口８３ｂに係る賞球個数が多いといったように、両作動口８３ａ，８３ｂの賞球個数が相違しても良い。また、可変入賞口８２に係る賞球個数が他の賞球個数に比べて多い構成に限定されることはなく、例えば一般入賞口８１に係る賞球個数と同一の構成としても良く、少ない構成としても良い。
【００３９】
遊技領域２３ａの中央部には、センターフレーム８５が設けられ、センターフレーム８５の後方には、図柄表示装置９４が配置されている。図柄表示装置９４は、表示画面９４ａにおいて絵柄の一種である図柄を変動表示（又は、可変表示若しくは切換表示）する装置であり、遊技板２３ｂの背面側に取り付けられている。センターフレーム８５は、正面視で図柄表示装置９４の表示画面９４ａを囲むように設けられ、遊技板２３ｂに前面側より取り付けられている。図柄表示装置９４の前面側であってセンターフレーム８５の後側には、ポリカーボネート等の透明な合成樹脂材料により形成された透明保護板が設けられ、図柄表示装置９４の表示画面９４ａは、その透明保護板を介して前面側から視認可能とされている。
【００４０】
遊技領域２３ａは、その中央部にセンターフレーム８５が設けられることで、センターフレーム８５の左右両側に位置する左側領域ＰＥ１と右側領域ＰＥ２とに区画され、遊技領域２３ａに発射された遊技球は、左側領域ＰＥ１または右側領域ＰＥ２のいずれか一方を流下することとなる。左側領域ＰＥ１及び右側領域ＰＥ２の下側には、両領域から流下した遊技球が合流して流下する下側領域ＰＥ３が遊技領域２３ａの一部として設けられている。
【００４１】
遊技領域２３ａへ遊技球が到達する回動量に操作ハンドル４７が操作されると、左側領
域ＰＥ１または右側領域ＰＥ２のいずれか一方を遊技球が流下する。操作ハンドル４７の操作量が少なく、センターフレーム８５の一番上側の部位を超えない発射力となる回動操作量で遊技球が発射されると、遊技球は遊技領域２３ａの入口に近い左側領域ＰＥ１を流下する。その操作量より操作ハンドル４７の操作量が多く、センターフレーム８５の一番上側の部位を確実に超える発射力となる回動操作量で遊技球が発射されると、遊技球は右側領域ＰＥ２を流下する。それらの間部分に相当する回動操作量の場合には、遊技球は、左側領域ＰＥ１と右側領域ＰＥ２との両方に分散して流下する。遊技者は、操作ハンドル４７の回動操作量を調整することで、左側領域ＰＥ１と右側領域ＰＥ２とのいずれの領域を遊技球が流下するかを選択して遊技を行うことができる。
【００４２】
遊技盤２３の最下部には、アウト口８６が設けられ、左側領域ＰＥ１または右側領域ＰＥ２を流下して最終的に各種入賞口等に入らなかった遊技球はアウト口８６を通って遊技領域２３ａから排出される。遊技領域２３ａには、遊技球の落下方向を適宜分散、調整等するために多数の釘８７が植設され、風車等の各種部材（役物）が配設されている。
【００４３】
ここで、入球とは、所定の開口部を遊技球が通過することを意味し、開口部を通過した後に遊技領域２３ａから排出される態様だけでなく、開口部を通過した後に遊技領域２３ａから排出されない態様も含まれる。但し、以下の説明では、アウト口８６への遊技球の入球と明確に区別するために、一般入賞口８１、可変入賞口８２、上作動口８３ａ、下作動口８３ｂ又はスルーゲート８４への遊技球の入球を、入賞とも表現する。
【００４４】
上作動口８３ａ及び下作動口８３ｂは共に上向きに開放されている。また、上作動口８３ａが上方となるようにして両作動口８３ａ，８３ｂは鉛直方向に並んでいる。下作動口８３ｂには、左右一対の可動片よりなるガイド片（サポート片）としての電動役物８３ｃが設けられている。
【００４５】
上作動口８３ａ及び下作動口８３ｂは、遊技領域２３ａの下側領域ＰＥ３に設けられている。上作動口８３ａは、センターフレーム８５の下部に設けられて遊技球が上面を転動するステージの直下に配置され、センターフレーム８５で形成された誘導通路（図示略）を介してステージ上に誘導され、誘導通路を経由しない遊技球より上作動口８３ａへ入賞しやすい構成とされている。この誘導通路の入口は、センターフレーム８５において左側領域ＰＥ１に面する左側部分に設けられ、また、ステージの下側から飛び込む遊技球として、左側領域ＰＥ１からの方がステージに飛び込み易い釘８７の配置とされている。すなわち、左側領域ＰＥ１を遊技球が流下した場合の方が、右側領域ＰＥ２を遊技球が流下する場合に比べて上作動口８３ａへの入賞が発生しやすい設定とされている。
【００４６】
電動役物８３ｃは遊技板２３ｂの背面側に搭載された電動役物駆動部（図示省略）に連結されており、当該電動役物駆動部により駆動されて閉鎖状態（非サポート状態又は非ガイド状態）及び開放状態（サポート状態又はガイド状態）のいずれかに配置される。電動役物８３ｃの閉鎖状態では遊技球が下作動口８３ｂに入賞できず、電動役物８３ｃが開放状態となることで下作動口８３ｂへの入賞が可能となる。電動役物８３ｃは、下側領域ＰＥ３で左右両側に開放可能とされ、左側領域ＰＥ１を流下した遊技球及び右側領域ＰＥ２を流下した遊技球のいずれも入賞可能とされている。
【００４７】
スルーゲート８４は、右側領域ＰＥ２に設けられ、遊技領域２３ａの入口から遠い側へ届く一定以上の強い発射力で発射された遊技球が入球可能に構成されている。スルーゲート８４の下側には、可変入賞口８２が設けられ、可変入賞口８２も右側領域ＰＥ２に設けられている。
【００４８】
可変入賞口８２は、通常は遊技球が入賞できない又は入賞し難い閉状態になっており、
大当たり当選といった開閉実行モード（特別遊技状態）への移行当選となった際に、遊技球が入賞しやすい所定の開放状態に切り換えられるようになっている。可変入賞口８２の開放態様として具体的には、所定時間（例えば３０秒間）の経過又は所定個数（例えば１０個）の入賞を１ラウンドとし、複数ラウンド（例えば１５ラウンド）を上限として可変入賞口８２が繰り返し開放される。
【００４９】
スルーゲート８４及び可変入賞口８２は、遊技領域２３ａの右側領域ＰＥ２に設けられ、右側領域ＰＥ２を遊技球が流下するように一定以上に強い発射力で遊技球が発射された場合にスルーゲート８４及び可変入賞口８２に遊技球が入賞する。スルーゲート８４に遊技球を入球させた場合に電動役物８３ｃが遊技者にとって有利な開放状態とされ易い遊技状態（いわゆる時短遊技状態）や、可変入賞口８２が開閉実行モードとされる特別遊技状態等、遊技領域２３ａの右側領域ＰＥ２に遊技球を流下させた場合に遊技者にとって有利となる遊技状態においては、遊技者は、右側領域ＰＥ２を数多く遊技球が流下するように操作ハンドル４７を操作する。これに対し、上作動口８３ａに遊技球を多く入賞させて内部抽選の当選を期待する通常の遊技状態においては、遊技者は、左側領域ＰＥ１を数多く遊技球が流下するように操作ハンドル４７を操作して遊技を実行することとなる。
【００５０】
遊技者にとって有利となる回動操作量は、図柄表示装置９４やスピーカの音声によって遊技者に報知され、遊技状態が切り替わるときに、例えば、「右打ちをしてください。」または「左打ちをしてください。」の表示または音声によって遊技者に報知される。
【００５１】
図柄表示装置９４は、液晶ディスプレイを備えた液晶表示装置として構成されており、表示制御装置１４２により表示内容が制御される。なお、図柄表示装置９４は、液晶表示装置に限定されることはなく、プラズマディスプレイ装置、有機ＥＬ表示装置又はＣＲＴといった表示画面を有する他の表示装置であってもよく、ドットマトリクス表示器であっても良い。
【００５２】
図柄表示装置９４では、上作動口８３ａ又は下作動口８３ｂへの入賞に基づいて図柄の変動表示が開始される。図柄表示装置９４における変動表示は、正面視で視認可能な視認可能領域において行われ、例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。この図柄表示装置９４における変動表示は、主表示装置９６のメイン表示部において行われる変動表示に合わせて行われる。
【００５３】
センターフレーム８５に対して左下側には、遊技の状態を表示する主表示装置９６が設けられる。主表示装置９６は、複数の発光部が並んで配列されてなる表示器を有する構成とされ、遊技領域２３ａの外側に相当する外レール１０２の外側に設けられ、その前面側には、例えば、左上側からメイン表示部、役物用表示部、状態表示部、保留表示部等が順に設けられる。
【００５４】
メイン表示部では、上作動口８３ａ又は下作動口８３ｂへの入賞をトリガとして絵柄の変動表示が行われ、その変動表示の停止結果として、上作動口８３ａ又は下作動口８３ｂへの入賞に基づいて行われた内部抽選の結果が表示によって明示される。本パチンコ機１０では、上作動口８３ａへの入賞と下作動口８３ｂへの入賞とが内部抽選において区別され、上作動口８３ａ又は下作動口８３ｂのいずれの入賞に基づいて行われた内部抽選の結果であるかがメイン表示部にて明示される。そして、上作動口８３ａ又は下作動口８３ｂへの入賞に基づく内部抽選の結果が開閉実行モードへの移行に対応した当選結果であった場合には、各作動口８３ａ，８３ｂにおける当選結果に対応した所定の停止結果が表示されて変動表示が停止し、その後に、開閉実行モードへ移行する。上作動口８３ａへの入賞
と下作動口８３ｂへの入賞とは、当選によって得られる特典に差異が設けられ、可変入賞口８２の開放態様（ラウンド数や１ラウンドにおける開放時間）、時短遊技状態への移行確率等、当選後に遷移する遊技状態が入賞した作動口によって異なる場合がある設定とされ、遊技が複雑化されている。ここで、いずれかの作動口８３ａ，８３ｂへの入賞に基づいて、メイン表示部及び図柄表示装置９４にて変動表示が開始され、所定の停止結果を表示し上記変動表示が停止されるまでが遊技回の１回に相当する。
【００５５】
なお、複数の作動口８３ａ，８３ｂが設けられる場合に、必ずしも作動口によって当選後に遷移する遊技状態を異ならせる必要はなく、同一の抽選条件にて抽選を実行し、同一の確率で各遊技状態へ移行する設定としても良い。また、必ずしも複数の作動口を設ける必要はなく、１の作動口のみを有する構成としても良い。
【００５６】
役物用表示部では、スルーゲート８４への入賞をトリガとして絵柄の変動表示が行われ、その変動表示の停止結果として、スルーゲート８４への入賞に基づいて行われた内部抽選の結果が表示によって明示される。スルーゲート８４への入賞に基づく抽選結果が電役開放状態への移行に対応した当選であった場合には、役物用表示部にて所定の停止結果が表示されて変動表示が停止された後に、電役開放状態へ移行する。電役開放状態では、下作動口８３ｂに設けられた電動役物８３ｃが所定の態様で開放状態となる。
【００５７】
状態表示部は、メイン表示部にて所定の停止結果が表示されることで遊技状態が開閉実行モードへ移行し、その所定の停止結果の表示後における遊技回が所定回数に到達する等して遊技状態が開閉実行モード前の通常状態に移行する場合に、その遊技状態の変化が表示によって明示される。また、状態表示部では、開閉実行モードの移行当選となった場合に可変入賞口８２の開放態様として複数種類に設定されたラウンド数のうち移行当選となったラウンド数が表示によって明示される。
【００５８】
保留表示部は、遊技球が上作動口８３ａ又は下作動口８３ｂに入賞した個数及び遊技球がスルーゲート８４を通過した回数のうち未だ遊技が実行されていない保留状態の遊技回数を表示によってそれぞれ明示する。遊技球が上作動口８３ａ又は下作動口８３ｂに入賞した個数及び遊技球がスルーゲート８４を通過した回数はそれぞれ最大４個まで保留され、保留表示部によって各保留数がそれぞれ表示される。保留表示部の保留数に対応した情報は、図柄表示装置９４の表示画面にも表示され、保留数が数字又はキャラクタの個数などにより表示される。
【００５９】
なお、メイン表示部、役物用表示部、状態表示部及び保留表示部等は、複数の発光部が所定の態様で配列されてなる表示器により構成されているが、これに限定されることはなく、一部または全ての表示部を液晶表示装置、有機ＥＬ表示装置、ＣＲＴ、セグメント表示器又はドットマトリックス表示器等その他のタイプの表示装置によって構成しても良い。また、メイン表示部及び役物用表示部にて変動表示される態様として、絵柄としての複数種の文字が変動表示される構成、複数種の記号が変動表示される構成、複数種のキャラクタが変動表示される構成又は複数種の色が切り換え表示される構成等、他の態様としても良い。
【００６０】
次に、遊技機本体１２の背面側の構成について、図４に加え、図７から図９を参照しながら説明する。図７は中間ユニット１３の背面図、図８は裏パックユニット１５の背面図、図９はパチンコ機１０の背面図である。
【００６１】
中間ユニット１３には、図７に示すように、枠ユニット２１によって開口形成される前後に貫通した遊技盤収容部２１ａが設けられ、この遊技盤収容部２１ａを通じて中間ユニット１３の背面側には遊技盤２３の背面側に搭載される各種部品が露出されている。
【００６２】
中間ユニット１３の背面側には、図４に示すように、合成樹脂により形成された箱状の盤裏カバー１４１が設けられている。盤裏カバー１４１は、遊技盤２３の背面のほぼ全域にわたって設けられ、遊技盤２３の背面側に設けられる各種部品を、埃の進入、遊技球の衝突、或いは遊技盤２３の搬送時における周辺部分との衝突から保護すると共に、遊技球の入賞を検知するセンサ等を狙った不正を防止する機能を有している。
【００６３】
中間ユニット１３の背面側中央部には、図４に示すように、表示制御装置１４２と音声発光制御装置１４３とが左右に並んで設けられ、その下側には、遊技の主たる制御を司る主制御装置１６０が設けられている。表示制御装置１４２は、図柄表示装置９４の表示制御を司るものであり、音声発光制御装置１４３は、主制御装置１６０からの指示に従って音声やＬＥＤ、ランプ等の表示制御及び表示制御装置１４２の制御を司るものである。
【００６４】
主制御装置１６０は、図７に示すように、遊技の主たる制御を司る機能（主制御回路）と、電源を監視する機能（停電監視回路）とを有する主制御基板と、基板を収容するために設けられた透明性を有する樹脂製の基板ボックス１６３を備えている。また、主制御装置１６０には、基板ボックス１６３の開放に際して痕跡を残す痕跡手段としての開放封印部１６４が設けられている。当該開放封印部１６４は解除操作を一度行うと再結合を不可とするものであり、結果的に主制御装置１６０の基板ボックス１６３は一度開放操作を行うと、再度封印状態とすることが不可となっている。
【００６５】
主制御装置１６０の背面視左側端部には、図７に示すように、取付封印部１６５が設けられている。取付封印部１６５は、遊技板２３ｂ側に設けられる支持部材と主制御装置１６０とを固定し、主制御装置１６０の取り外しに際して痕跡を残す痕跡手段として機能する。取付封印部１６５には、最初に主制御装置１６０を取り付けるための固定部品以外に、予備用の固定部品が３組設けられ、主制御装置１６０の点検作業における一時的な取り外しや主制御装置１６０の交換が最大３回まで痕跡を残して実行可能とされている。
【００６６】
主制御装置１６０の背面視左部には、ＲＡＭ消去スイッチ１６６が設けられている。本パチンコ機１０は、各種データの記憶保持機能を有しており、万一停電が発生した際でも停電時の状態を保持し、停電からの復帰の際には停電時の状態に復帰できるようになっている。例えば遊技場の営業終了時に通常手順で電源を遮断した場合には遮断前の状態が記憶保持され、ＲＡＭ消去スイッチ１６６を押しながら電源を投入すると、ＲＡＭデータが初期化されるようになっている。
【００６７】
枠ユニット２１の背面における回動基端側（図７の右側）には、上下に離間して支持金具１３２が設けられ、各支持金具１３２の上端部において貫通穴が設けられた軸受け部１３３によって中間ユニット１３に対して裏パックユニット１５が回動可能に取り付けられる。また、枠ユニット２１の背面には、裏パックユニット１５を中間ユニット１３に固定するための固定レバー１３４が回動先端側（図７の左側）に複数設けられている。
【００６８】
次に、裏パックユニット１５について説明する。裏パックユニット１５は、図８に示すように、透明性を有する合成樹脂により形成された裏パック２０１と、払出ユニット２０２と、外部端子板２０３とを備えている。
【００６９】
裏パック２０１は、図８に示すように、裏パック２０１の周縁部を構成する裏ベース部２１１と、裏ベース部２１１の後側に開口する部分を覆うようにして形成された保護カバー部２１２とを有している。裏ベース部２１１と保護カバー部２１２とにより、裏パック２０１は、左右側面と上面の全部、背面の上部が閉鎖されて前方側が開放した収容空間を形成し、この収容空間内に遊技盤２３の背面側に搭載される各種部品として、図柄表示装
置９４や制御装置１４２，１４３等を収容する。保護カバー部２１２の下側部分には、前後方向に貫通した開口部２１２ａが形成されている。なお、裏パック２０１は、枠ユニット２１と別部品で構成される必要はなく、枠ユニット２１と一体的に、例えば、樹脂により枠ユニット２１と一体成形されて前側が開口した部品の一部として裏パック２０１に相当する部分を構成しても良い。
【００７０】
外部端子板２０３は、図８に示すように、後方から見た裏パックユニット１５の右上側端部に設けられている。外部端子板２０３は、パチンコ機１０の状態を遊技場の管理コンピュータに認識させるために、所定の信号出力を行うための基板である。外部端子板２０３には、出力端子として、開閉実行モード中に信号出力するための出力端子、下作動口８３ｂの電動役物８３ｃが高頻度で開放状態となる電役開放状態中に信号出力するための出力端子、払出ユニット２０２において遊技球が不足した場合に信号出力するための出力端子、所定個数の賞球を払い出す毎に信号出力するための出力端子、所定個数の遊技球を貸し出す毎に信号出力するための出力端子、外枠１１に対する中間ユニット１３の開放時に信号出力するための出力端子、中間ユニット１３に対する前扉枠１４の開放時に信号出力するための出力端子などが設けられている。
【００７１】
裏パックユニット１５における背面視右側端部には、図８に示すように、上下一対の掛止ピン２０４が取り付けられている。この掛止ピン２０４を中間ユニット１３側の軸受け部１３３に挿通させることで、裏パックユニット１５が掛止ピン２０４を中心にして中間ユニット１３に対して回動可能に支持される。裏ベース部２１１における掛止ピン２０４が配置されていない反対側の端部には、中間ユニット１３に設けられた固定レバー１３４が挿通される挿通部２１１ａが上下に形成されている。固定レバー１３４が挿通部２１１ａに挿通されて９０度回転させた状態にすることで、固定レバー１３４の一部が裏ベース部２１１に後方から当接し、中間ユニット１３に裏パックユニット１５が固定される。また、裏パックユニット１５の前面下側における中央部にも、固定レバー１３５（図４参照）が設けられ、中間ユニット１３側に設けられる挿通部２１ｂ（図５参照）に挿通されてから回転操作することで、中間ユニット１３に対して裏パックユニット１５の下側中央部が固定される。
【００７２】
裏パックユニット１５は、上記したとおり、中間ユニット１３の背面に対して回動可能に軸支されている。裏パックユニット１５を中間ユニット１３に対して背面側から重ね合わせた状態では、図９に示すように、主制御装置１６０の大半は開口部２１２ａを介して背面側に露出し、主制御装置１６０の一部は保護カバー部２１２により覆われている。主制御装置１６０の上端部には他の制御装置と電気的に接続するためのコネクタ及び配線が設けられ、この配線に関する部位や開放封印部１６４及び取付封印部１６５の一部が保護カバー部２１２に覆われる。このため、主制御装置１６０の視認性を高めつつ、不正行為の抑制及び遊技球の衝突による破損防止等を実現している。主制御装置１６０の上側に配置される音声発光制御装置１４３等は、保護カバー部２１２により全体が覆われている。
【００７３】
裏パックユニット１５は、図８に示すように、保護カバー部２１２を迂回するようにして裏ベース部２１１に取り付けられている払出ユニット２０２を備えている。払出ユニット２０２は、裏パック２０１の最上部に設けられて遊技球を貯留可能に上方に開口したタンク２２１と、タンク２２１内の遊技球を下流側に向けて案内可能に緩やかに傾斜するタンクレール２２２と、タンクレール２２２の下流側にて上下方向に遊技球を案内するケースレール２２３と、ケースレール２２３の最下流部に設けられる払出装置２２４とを有し、これらが連結することでタンク２２１に補給された遊技球を必要数分だけ払出装置２２４の下流側に払い出し可能とされている。払出装置２２４によって払い出された遊技球は、払出装置２２４の下流側に設けられた裏側通路部２２５に供給される（図４参照）。
【００７４】
裏側通路部２２５には、払出装置２２４より払い出された遊技球を上皿２８ａ、下皿２９ａ又はタンク球排出通路の何れかに振り分けるための３つの通路が形成されている。これら通路のうち、裏パック２０１の中央側に位置する通路が上記した本体側上皿通路部１２２及び前扉側上皿通路部５１を介して上皿２８ａに通じ、その外側の通路が本体側下皿通路部１２３及び前扉側下皿通路部５２を介して下皿２９ａに通じ、更に外側の通路がタンク球排出通路とされている。払出装置２２４によって払い出された遊技球は、上皿２８ａの通路に優先して案内され、その通路が遊技球で満たされると、その通路から分岐した下皿２９ａに通じる通路に遊技球が案内される。タンク球排出通路は、ケースレール２２３の操作部２２３ａに対して排出操作を行うことにより、タンク２２１からケースレール２２３の途中までの間に貯留された遊技球が払出装置２２４を経由せずに裏パックユニット１５の下端に設けられる排出口から排出される。
【００７５】
裏ベース部２１１の背面側下端部には、図８に示すように、各種制御装置等で要する所定の電力を生成して出力する電源装置２４１と、払出制御装置２４２とが前後に重ねて取り付けられている。電源装置２４１は、裏ベース部２１１の横幅全域にわたって設けられている。裏ベース部２１１の背面視右下側端部には、電源スイッチ２４５が設けられている。パチンコ機１０へは電圧変換器を介して例えば交流２４ボルトの主電源が供給され、電源スイッチ２４５の切換操作によりパチンコ機１０の電源がＯＮ又はＯＦＦとされる。
【００７６】
払出制御装置２４２は、払出ユニット２０２を通じた遊技球の払い出しを制御するための装置である。払出制御装置２４２は、基板を収容するために設けられた透明性を有する基板ボックス２４３に払出制御基板を収容して構成されており、その開放に際しては痕跡を残す痕跡手段として開放封印部２４４が設けられている。開放封印部２４４は解除操作を一度行うと再結合を不可とするものであり、結果的に払出制御装置２４２の基板ボックス２４３は一度開放操作を行うと、再度封印状態とすることが不可となっている。
【００７７】
裏ベース部２１１の前面側すなわち中間ユニット１３側の下部には、図４に示すように、上方に開口した横長の球入口２１３と、側方に開口した球入口２１４とを上流側端部とする発射球排出通路が設けられている。遊技領域２３ａを流下しいずれかの開口を介して遊技盤２３の背面へと導かれた遊技球は、２つの球入口２１３，２１４のいずれかを経由して発射球排出通路内へ進入する。発射球排出通路の出口部分は裏パックユニット１５の下端面に遊技球１個分の幅で開口して形成され、遊技領域２３ａ内に発射された遊技球は全て発射球排出通路を経由して遊技場の島設備に排出される。発射球排出通路の途中には、遊技球を検知する検知センサが設けられ、遊技領域２３ａ内に発射された遊技球数に対応した信号が外部端子板２０３を介して出力される。
【００７８】
次に、入力装置３００に関する構成について図１０以降を主に参照して説明する。図１０から図１３は、入力装置３００の平面図、正面図、斜視図及び下面図である。図１４は、斜め上側から見た入力装置３００の分解斜視図であり、図１５は、斜め下側から見た入力装置３００の分解斜視図である。なお、図１１、図１４及び図１５においては、理解の容易のために、一部分を拡大視した部分拡大図を併せて示し、また、図１０及び図１３には、軸線Ｌ０に相当する位置を黒点を付して示し、図１１には、上側膨出部２８の概略形状を併せて示している。
【００７９】
入力装置３００は、図２に示すように、上皿２８ａを形成する上側膨出部２８に取り付けられる装置であり、遊技者によって操作可能な操作部３０１と、操作部３０１の奥側に位置し、操作部３０１を通じて視認可能な装飾部３０２とを有している（図１０参照）。操作部３０１は、上側膨出部２８の左右方向略中央部における上面の一部を形成し、下側（詳細には、パチンコ機１０の背面側に僅かに傾斜した斜め下側）に向かってスライド移動が可能に構成されると共に、スライド方向に一致する軸線Ｌ０を中心として回転可能に
構成されている。以下、入力装置３００において、軸線Ｌ０の連続する方向を軸方向、軸線Ｌ０に対して垂直な方向を径方向、軸線Ｌ０を中心とする円周方向を周方向という。また、操作部３０１を下側に押圧することで移動させる移動操作を押圧操作、軸線Ｌ０を中心として操作部３０１を回転させる操作を回動操作という。
【００８０】
入力装置３００の操作部３０１は、従来の操作部に比べて拡大化されており、その分、遊技者により操作部３０１が強打されて入力装置３００に作用する衝撃力が従来より強大となる可能性が高い。このため、入力装置３００は、耐衝撃性に優れた構成とされ、且つ、操作部３０１が拡大化されても必要な操作力の増大は抑制して操作抵抗の少ない操作性を有する構成とされている。
【００８１】
入力装置３００は、図１０及び図１１に示すように、平面視略円形状をなし、上下方向に沿った厚みが平面視における左右及び前後幅の略半分程度に平たく形成されている。入力装置３００の下側には、図２等に示すように、下皿２９ａが配置され、また、下皿２９ａの横にはスピーカ収容部２９ｃが配置されている。このため、下皿２９ａ及びスピーカ収容部２９ｃといった機能部の設置スペースは、入力装置３００の厚みを薄く形成することにより上下方向に拡張され、また、入力装置３００の上端位置を低くして遊技者から視認可能な遊技領域２３ａ（図５参照）の下端位置を下側に設定し、これにより、遊技領域２３ａを上下方向に長く設定可能とされている。
【００８２】
入力装置３００は、図１４及び図１５に示すように、支持ユニット３１１と、軸受部材３１２と、動作ユニット３１３と、装飾ユニット３１４と、ボタンカバー３１５とを備え、支持ユニット３１１に対して軸受部材３１２と装飾ユニット３１４とが直接的に取り付けられて固定され、動作ユニット３１３及びボタンカバー３１５が軸受部材３１２を介して支持ユニット３１１に間接的に取り付けられて固定されている。
【００８３】
次に、支持ユニット３１１に関する構成について、図１４及び図１５に加えて、図１６を主に参照して説明する。図１６は（ａ）、図１３のＡ−Ａ線における入力装置３００の断面図であり、図１６（ｂ）は、図１６（ａ）のＢ−Ｂ線における入力装置３００の部分断面図である。なお、図１６（ａ）及び図１６（ｂ）においては、理解の容易のために、一部形状を簡略化して示すと共に、軸受部材３１２の固定構造を部分拡大図により概念的に示している。
【００８４】
支持ユニット３１１は、操作部３０１を変位可能に支持する部材であり、図１４及び図１５に示すように、合成樹脂により上方側が開放された有底箱状の取付ベース３２１と、取付ベース３２１の下面側に取り付けられる振動機構３２２とを備えている。
【００８５】
取付ベース３２１は、軸線Ｌ０を中心とした円筒状に形成されて取付ベース３２１の外形を形成する筒状の外壁３３１と、外壁３３１の一端側に相当する下側の端縁より軸線Ｌ０に近づく径方向内側に連続する底面部３３２とを有している。取付ベース３２１は、外壁３３１より軸線Ｌ０に近い側に収容空間を形成している。この収容空間には、操作部３０１を動作させるための動作機構としての動作ユニット３１３や装飾部品としての装飾ユニット３１４等が収容される。
【００８６】
取付ベース３２１の底面部３３２には、図１４及び図１６（ａ）に示すように、軸線Ｌ０に近い中央部より上側に突出する筒状の軸受固定部３３３が一体形成されている。軸受固定部３３３は、円環状の軸受部材３１２を外側に嵌め込み可能に、軸受部材３１２の内径に略一致した略円環状の外形に形成されている。軸受固定部３３３は、軸線Ｌ０を中心とする周方向において複数箇所に隙間部分が設けられるようにして断続的に形成され、各隙間部分には、図１４に示すように、底面部３３２より上方側に突出形成された軸受固定
フック３３４が配置されている。
【００８７】
軸受固定フック３３４は、図１６（ａ）に拡大視して示すように、その上端部分が径方向外側に突出して軸受部材３１２に係合可能に形成され、軸受部材３１２が取付ベース３２１の軸受固定部３３３に対して上方側より取り付けられた場合に軸受部材３１２の上面の一部に係合し、軸受部材３１２の上方側への移動が軸受固定フック３３４により阻止される。
【００８８】
なお、軸受固定部３３３は、軸受部材３１２の内面側に当接して軸受部材３１２が径方向に沿った方向側に移動不能となれば良く、必ずしも軸線Ｌ０を中心とした環状に連続した部分を有する形状とする必要はなく、周方向において間隔を隔てて複数配置された円柱状又は角柱状等の複数の突起部分により軸受固定部を構成し、当該複数の突起部分における軸線Ｌ０とは反対側に位置する径方向外側の外面に軸受部材３１２の内面が接触して軸受部材３１２を移動不能としても良い。また、軸受固定部３３３における軸受部材３１２との当接部分には、軸線Ｌ０に沿った方向側に連続し、軸受部材３１２側に筋状に突出するリブを１又は周方向に離間した複数箇所に形成して軸受部材３１２を位置決め支持する構成としても良い。
【００８９】
取付ベース３２１における軸受固定部３３３の上端部には、軸受固定部３３３の内側を部分的に閉塞する蓋状に、軸線Ｌ０に近づく径方向内側に連続して形成された装飾取付部３３５が一体形成されている。装飾取付部３３５は、上下方向に厚みを有する板形状を主体とし、図１６（ａ）に示すように、その上面に装飾ユニット３１４の下側部分が当接して装飾取付部３３５に装飾ユニット３１４が固定される。装飾ユニット３１４の固定は、例えば、装飾取付部３３５の下面側よりネジが挿通され、装飾ユニット３１４にネジの先端部分が締結固定されることによって行われる。装飾取付部３３５には、装飾ユニット３１４を固定するためのネジ孔及び位置決め孔、並びに、装飾部３０２を駆動するための回転モータ３０３を軸受固定部３３３の内側に配置可能とするモータ用孔等が上下方向に貫通形成されている。
【００９０】
次に、入力装置３００の固定構造に関する構成について図１１、図１３及び図１５を主に参照して説明する。
【００９１】
取付ベース３２１の底面部３３２は、上下方向に厚みを有する板状をなし、図１５に示すように、底面部３３２の下面側には、軸線Ｌ０を囲うようにして周方向に離間した複数箇所において係合突部３３６が形成されている。係合突部３３６は、支持ユニット３１１により一体化された入力装置３００を上側膨出部２８に固定するための固定手段を構成し、図１１に拡大視して示すように、底面部３３２に対して上下方向に隙間を隔てた下側にて上下方向に厚みを有する板状の下側壁部３３７と、下側壁部３３７の縁部分と底面部３３２とを上下に接続する縦壁部３３８とを有して断面鉤状に下方に突出形成されている。
【００９２】
縦壁部３３８は、図１３に示すように、下側壁部３３７において軸線Ｌ０に近い径方向内側の縁部分及び下面視時計回り方向側の縁部分より上方側に突出して底面部３３２まで連続している。このため、底面部３３２と係合突部３３６との間には、軸線Ｌ０から離間した径方向外側と下面視反時計回り方向側とが開口した隙間空間を有する形状とされ、図１１に拡大視して示すように、この隙間空間内に上側膨出部２８の一部が入り込んだ状態となることにより入力装置３００が上側膨出部２８に対して上方側へ移動不能に固定される。
【００９３】
上側膨出部２８には、図１１に示すように、入力装置３００の外形形状に対応した取付凹部２８ｂが上方に開口形成されている。なお、図１１には、取付凹部２８ｂの概略形状
を一点鎖線により示している。
【００９４】
取付凹部２８ｂの底面側に相当する下側には、図１１に拡大視して示すように、入力装置３００の係合突部３３６に係合可能に構成された被係合部２８ｃが入力装置３００の係合突部３３６に対応して３カ所に設けられている。取付凹部２８ｂの被係合部２８ｃは、上下方向に厚みを有する合成樹脂製の板状部分に対して貫通孔２８ｄを設けて形成された外周縁の一部分により構成され、貫通孔２８ｄは、係合突部３３６が上方側より挿入可能な形状及び大きさに形成されている。
【００９５】
入力装置３００は、取付凹部２８ｂに対して上方側から差し込まれるようにして取り付けられ、取付凹部２８ｂの被係合部２８ｃに対して入力装置３００の係合突部３３６を挿入しつつ支持ユニット３１１の底面部３３２を取付凹部２８ｂの底面に当接させてから上面側から見て時計回りに入力装置３００を一定量回動させる。これにより、入力装置３００の係合突部３３６が取付凹部２８ｂの被係合部２８ｃに相当する縁部分の下側に入り込んだ状態となり、入力装置３００の上方側への移動が制限される。
【００９６】
取付ベース３２１の底面部３３２には、図１５に示すように、軸線Ｌ０に対して離間した位置において軸線Ｌ０と平行に下方に突出した円筒形状のボス部３３９が設けられている。ボス部３３９は、入力装置３００の回転移動を制限するための部位であり、ネジ孔が中心部分に形成されて軸線Ｌ０に沿った方向側に連続している。入力装置３００側の係合突部３３６と上側膨出部２８側の被係合部２８ｃとの係合により上方側への移動が制限された入力装置３００に対し、図１１に示すように、上側膨出部２８の下面側よりネジが挿通され、ボス部３３９にネジの先端部分が締結されることにより、入力装置３００が取付凹部２８ｂに対して回動不能となって固定される。なお、図１１には、入力装置３００を固定するネジを併せて示し、ボス部３３９周辺を断面視して示している。
【００９７】
係合突部３３６は、図１３に示すように、入力装置３００における取付ベース３２１の底面部３３２において軸線Ｌ０を囲う周方向に略１２０度毎に離間して配置され、各係合突部３３６の近傍部分を含む領域において上側膨出部２８が入力装置３００の下面側に当接し、入力装置３００が支持される。具体的には、貫通孔２８ｄに相当する島部分を除いて図１３における一点鎖線で囲んだ領域に相当する外形に形成された当接支持面２８ｅに入力装置３００の底面部３３２が当接することにより、入力装置３００が上側膨出部２８に支持される。
【００９８】
なお、当接支持面２８ｅは、上側膨出部２８の外形形状を形成するポリカーボネート等の硬質な合成樹脂製の膨出部構成体に対して上側に重なるようにして取り付けられた軟質なゴム製シート等の防振部材により形成しても良く、これにより、遊技者による入力装置３００に対する操作力を防振部材により減衰させてから、膨出部構成体や、前扉枠１４の全域にわたる大きさに形成されて膨出部構成体が取り付けられる金属板製の金属ベース等に伝達される構成とすることができる。この防振部材は必ずしも設ける必要はなく、防振部材を省略して膨出部構成体に入力装置３００が直接的に支持される構成としても良い。
【００９９】
ここで、入力装置３００は、上側膨出部２８に形成される取付凹部２８ｂの底面に支持され、入力装置３００の操作部３０１が大きく形成されて入力装置３００自体が大きく形成される分、上側膨出部２８の左右方向における長い区間において上側膨出部２８に入力装置３００が支持される。このため、操作部３０１が強打された場合に、入力装置３００の周辺において上側膨出部２８に作用するせん断応力や曲げ応力を比較的低く抑えることができ、上側膨出部２８の破損を防止することができる。
【０１００】
なお、入力装置３００の上側膨出部２８への固定構造は、上記形態に限らず、他の固定
構造としても良く、この場合には、入力装置３００における径方向外側を形成する部位であって操作部３０１の外形より径方向外側に位置する外周部分だけでなく、操作部３０１に対して押圧方向先端側に重なる軸線Ｌ０に近い範囲において入力装置３００が上側膨出部２８に支持されることが好ましく、また、軸線Ｌ０を囲う少なくとも３カ所以上の領域を含む面により構成した当接支持面２８ｅによって入力装置３００が支持されることが好ましい。入力装置３００が上側膨出部２８に安定した状態に固定されるので、操作部３０１への強打に対する耐衝撃性に優れた構成とすることができる。
【０１０１】
次に、押圧操作のストッパ構造に関する構成について、図１３、図１４及び図１６を主に参照して説明する。
【０１０２】
外壁３３１の内面形状は、図１４及び図１６（ａ）に示すように、上側と下側とにおいて内径が異なり外壁３３１の内面には段差が設けられて上下方向の途中部分に上方側を向くストッパ面３４１が形成されている。ストッパ面３４１は、軸線Ｌ０を中心として、振動機構３２２が配置された一部分を除いて略環状に形成され、入力装置３００の下側を支持する取付ベース３２１の底面部３３２よりも軸線Ｌ０から離間した径方向外側に位置し、軸方向に沿った下面視において、図１３に太い一点鎖線を付して示すように、底面部３３２の周りを囲う位置に形成されている。ストッパ面３４１は、操作部３０１が押圧操作された場合に操作部３０１と共に下側へ移動する動作ユニット３１３の一部（ストッパ当接面３１３ｂ）に対して下側に当接し、操作部３０１の更なる下側への移動を制限する。
【０１０３】
ここで、ストッパ面３４１は、取付ベース３２１の底面部３３２の周りを囲うように形成されているので、遊技者が操作部３０１を強打して入力装置３００が下側へ強く押し込まれても、その押圧力は入力装置３００を通じて取付凹部２８ｂの底面全体により支持され易い。このため、入力装置３００及び取付凹部２８ｂの局部に応力が集中する状況が生じ難く、操作部３０１に対する許容操作力を高くして耐衝撃性に優れた構成とすることができる。
【０１０４】
また、入力装置３００の取付ベース３２１には、図１４及び図１６（ａ）に示すように、外壁３３１の上端部より径方向外側に突出する鍔状の上側縁部３４２が形成されている。上側縁部３４２は、図１１に示すように、取付凹部２８ｂの上端縁部分に対して上側に重なる長さに突出し、入力装置３００の外周部分と取付凹部２８ｂとの隙間を塞いでいる。この上側縁部３４２と取付凹部２８ｂとの間には上下方向に僅かな隙間が設けられており、操作部３０１に対する押圧操作により取付ベース３２１に押圧力が伝達されても、取付凹部２８ｂの上端縁部分には過大な荷重が入力されず、取付凹部２８ｂの上端縁部分が破損し難くされている。
【０１０５】
ここで、入力装置３００の固定構造として、取付凹部２８ｂの上端における開口縁部分に対して上側に上側縁部３４２を当接させ、取付ベース３２１の底面部３３２の下側は上側膨出部２８により支持しないで、上側縁部３４２によって入力装置３００の下側を支持することも可能である。しかし、操作部３０１が大きく形成された場合には、軸線Ｌ０から離間した操作部３０１の端部分が強打される可能性もあり、この場合には、強打された位置に近い取付凹部２８ｂの上端縁部分や入力装置３００の上側縁部３４２が破損し易い。これに対して、本実施形態においては、入力装置３００に対しての押圧力が取付ベース３２１の底面部３３２を通じて入力装置３００の底面側における広い範囲において支持されるため、操作部３０１の端部分が強打されても入力装置３００及び上側膨出部２８を破損し難くすることができる。
【０１０６】
なお、ストッパ面３４１は、環状に連続して形成しても、断続した形状としても良く、また、ストッパ面３４１において環状に連続する部分の一部に動作ユニット３１３の一部
が当接しても良いし、軸線Ｌ０を中心として周方向に断続した複数箇所において動作ユニット３１３の一部が当接する構成としても良い。この場合に、操作部３０１のうち押圧方向とは反対側を向く領域に相当する上側を向く領域（例えば、図１６における左右両側を向く矢印で示された領域）のうち径方向外側の端部、又は、その領域よりも径方向外側にストッパ面３４１が位置し、且つ、ストッパ面３４１のうち動作ユニット３１３が当接する部分（ストッパ当接面３１３ｂ）で囲われる領域を、軸線Ｌ０に沿った方向側に投影した範囲内において、入力装置３００が上側膨出部２８に支持される構成とすることが好ましい。
【０１０７】
本実施形態における入力装置３００においては、図１６（ａ）に示すように、操作部３０１において上側を向く領域（図１６（ａ）の操作部上面に対して矢印を付した範囲に相当する領域）より径方向外側にストッパ面３４１が位置し、且つ、図１３において太い一点鎖線を付した領域においてストッパ面３４１と動作ユニット３１３とが当接し、この領域より軸線Ｌ０に近い径方向内側に当接支持面２８ｅが配置されて入力装置３００と上側膨出部２８とが当接する設定とされている。これにより、操作部３０１のいずれの部位が強打された場合であっても、操作力の作用点から操作力が向く方向の延長線上、又は延長線に近い位置にて入力装置３００が支持され、入力装置３００及び上側膨出部２８に生じる曲げ応力を低く抑えて耐衝撃性に優れた入力装置３００とすることができる。
【０１０８】
次に、振動機構３２２について、図１６を主に参照して説明する。
【０１０９】
振動機構３２２は、操作部３０１が一定量以上押圧操作された押圧状態において操作部３０１に振動を伝達する装置である。振動機構３２２は、図１６（ａ）及び図１６（ｂ）に示すように、振動モータ３５１と、振動モータ３５１が内側に差し込まれる筒状の振動伝達部材３５２と、振動伝達部材３５２の上側を除いた外周側を囲いつつ振動伝達部材３５２及び振動モータ３５１を取付ベース３２１に固定する振動モータ固定カバー３５３とを備えている。
【０１１０】
振動モータ３５１は、出力軸が一方側に相当する径方向外側に突出した金属製のモータ本体３５１ａと、出力軸に対して偏心して取り付けられる金属製の錘３５１ｂとを備えている。錘３５１ｂは、出力軸の回動中心に相当する軸心に対して偏った位置（すなわち軸心から離間した位置）に重心を有し、振動モータ３５１が動作して出力軸が回転することで錘３５１ｂが偏心した状態で回動し、これにより、モータ本体３５１ａが振動する。なお、振動機構３２２は、必ずしも上記した振動モータ３５１により構成する必要はなく、圧電素子を利用して振動させる振動機構等、他の振動機構により操作部３０１に振動を伝達しても良い。
【０１１１】
振動モータ固定カバー３５３は、取付ベース３２１と同一材料又は同等に硬い樹脂材料で形成され、ポリカーボネートやポリアセタール等の硬質な合成樹脂により形成されている。一方、振動伝達部材３５２は、振動モータ固定カバー３５３及び取付ベース３２１より弾性係数の低いシリコンゴム等の軟質の樹脂材料により形成され、振動モータ３５１が振動し易く構成されている。また、振動伝達部材３５２の下側には、軸線Ｌ０から離間する径方向に離間した複数箇所において下方に部分的に突出する薄板状の凸部３５２ａが径方向に直交する周方向に長手方向を有するようにして形成されている。凸部３５２ａを設けることにより、上下方向における僅かな力で、振動モータ３５１及び振動伝達部材３５２の上側部分が下方に変位し易くなり、振動モータ３５１が振動し易く構成されている。
【０１１２】
取付ベース３２１の底面部３３２には、振動伝達部材３５２の取付部分に対応して上下方向に貫通する開口が設けられている。この開口を通じて振動伝達部材３５２の上面は、取付ベース３２１の外壁３３１により囲われる収容空間内に露出され、収容空間内に設置
される動作ユニット３１３の一部（金属板３７４の下面に相当する伝達部材当接面３１３ａ）に当接可能とされている（図１６（ａ）及び図１６（ｂ）参照）。操作部３０１が一定量以上押圧操作されると動作ユニット３１３の一部が下側に移動して振動伝達部材３５２に当接し、この当接状態において振動モータ３５１が駆動されることにより、操作部３０１に振動が伝達される。なお、振動モータ３５１によって操作部３０１を振動させる制御については、公知の制御を使用することができ、その説明については省略する。
【０１１３】
ここで、操作部３０１の押圧操作によって、振動伝達部材３５２と動作ユニット３１３の一部とが当接する位置と、ストッパ面３４１と動作ユニット３１３の一部とが当接する位置との関係について説明する。操作部３０１の押圧操作においては、ストッパ面３４１に動作ユニット３１３の一部が当接するよりも僅かに早く、すなわち、少ない押圧操作量によって振動伝達部材３５２と動作ユニット３１３の一部（伝達部材当接面３１３ａ）とが当接し、その後の更なる押圧操作によって振動伝達部材３５２が変形することによりストッパ面３４１と動作ユニット３１３の一部（ストッパ当接面３１３ｂ）とが当接する位置にストッパ面３４１及び振動伝達部材３５２が配置されている。具体的には、押圧方向において対向して配置されるストッパ面３４１とストッパ当接面３１３ｂとの間隔Ｇ２に比べて、振動伝達部材３５２の上面と伝達部材当接面３１３ａとの間隔Ｇ１の方が小さく設定されている。これにより、少ない押圧操作力によって振動伝達部材３５２と動作ユニット３１３とを接触させて操作部３０１を効率良く振動させることができ、且つ、操作部３０１への強打に対してはストッパ面３４１により押圧力を広範囲で支持する構成により耐衝撃性に優れた構成とすることができる。
【０１１４】
また、振動伝達部材３５２と伝達部材当接面３１３ａとの間の滑り摩擦係数は、例えば、シリコンゴムと鋼との組合せであって０．５程度であり、接触時に大きな滑り摩擦力による抵抗力が生じ易いものとされている。一方、ストッパ面３４１と、ストッパ面３４１に当接する動作ユニット３１３の一部樹脂部分とは硬質な樹脂部材同士の接触により、滑り摩擦係数が０．１以下とされている。このため、振動伝達部材３５２と伝達部材当接面３１３ａとが当接することにより、操作部３０１の回動動作に対する抵抗力が増大することとなり、一定量以上の押圧操作中における回動操作は押圧操作が少ない場合に比べて実行し難く構成されている。
次に、軸受部材３１２について、図１４及び図１６を主に参照して説明する。
【０１１５】
軸受部材３１２は、図１４及び図１６（ａ）に示すように、軸線Ｌ０を中心として環状に形成された部材であり、同心円状に配置される内輪３６１及び外輪３６２と、内輪３６１と外輪３６２との間に介在する複数の球体３６３と、複数の球体３６３を略等間隔に保持する保持体（リテーナ）３６４とを有する金属製のラジアル軸受により構成されている。軸受部材３１２は、取付ベース３２１の軸受固定部３３３の外周に内輪３６１が嵌め込まれて取付ベース３２１に固定され、取付ベース３２１に対して外輪３６２がスムースに回動自在に固定される。
【０１１６】
軸受部材３１２の下側には、上下方向に厚みを有し、軸受部材３１２の内輪３６１が位置する部位の下側に重なるゴム製のベアリングシート３６５が軸受部材３１２と取付ベース３２１との間に介在して設置されている。このため、軸受部材３１２が取付ベース３２１に対して隙間なく固定され、操作部３０１に対する押圧操作や回動操作の操作感として、がたつきが少なくスムースな操作感とすることができる。なお、軸受部材３１２は、必ずしも上記形態の軸受により構成される必要はなく、例えば、円柱形状のころを内輪と外輪との間に介在させるなど、他の形態の軸受により構成しても良いし、軸受部材３１２を省略しても良い。また、必ずしもベアリングシート３６５を設置する必要はなく、ベアリングシート３６５を省略して構成しても良い。
【０１１７】
次に、動作ユニット３１３の構成について、図１４から図１６に加えて、図１７から図１９を参照して説明する。図１７は、斜め上側から見た動作ユニット３１３の分解斜視図であり、図１８は、斜め下側から見た動作ユニット３１３の分解斜視図である。図１９は、動作ユニット３１３の動作を説明するための断面図であり、軸線Ｌ０と、操作部３０１の押圧操作に対する反力を発生するコイルバネ３７３の軸中心とを通る断面を示し、部分拡大図を併せて示している。
【０１１８】
動作ユニット３１３は、図１４及び図１５に示すように、上下方向に厚みを有し、軸線Ｌ０を中心とした略円筒形状の部材である。動作ユニット３１３は、支持ユニット３１１に対して軸受部材３１２を介して取り付けられ、軸線Ｌ０を中心として支持ユニット３１１に対して回動可能に支持される。
【０１１９】
動作ユニット３１３は、図１７及び図１８に示すように、軸受部材３１２の外輪３６２に取り付けられる回動部材３７１と、回動部材３７１に対して上側に取り付けられる移動部材３７２と、移動部材３７２に付勢力を付与する複数のコイルバネ３７３と、回動部材３７１の下側に取り付けられる金属板３７４とを備えている。
【０１２０】
回動部材３７１は、図１７に示すように、上下方向に厚みを有する略円形の外形をなし、中央部分に円孔が開口形成された上面部３８１と、上面部３８１の外周部分より下方に円筒状に連続する外周壁部３８２とを有している。外周壁部３８２の外面には、上下方向に連続する矩形溝状のガイド溝３８３が周方向に離間した複数箇所に形成されている。
【０１２１】
ガイド溝３８３の配置位置に対応して、移動部材３７２には、図１８に示すように、ガイド溝３８３の溝幅より僅かに狭い幅にて上下方向に連続する形状であって径方向外側より軸線Ｌ０が位置する径方向内側に突出して形成されたガイド突部３９３が設けられている。回動部材３７１に対して移動部材３７２が取り付けられた状態においては、ガイド突部３９３がガイド溝３８３内に入り込んだ状態とされている。このため、移動部材３７２が回動部材３７１に対して押圧方向に沿った上下方向にのみ相対的にスライド移動可能とされ、回動部材３７１に対して周方向側には相対的な移動（回動）が不能とされて回動部材３７１と移動部材３７２とが一体的に回動動作可能とされている。
【０１２２】
回動部材３７１における外周壁部３８２の内側には、図１８に示すように、外形略円形の開口部３８４が下側に向けて開口形成されている。回動部材３７１の開口部３８４は、軸受部材３１２の外輪３６２より僅かに大きな内径を有する断面略円形の内面形状とされ、支持ユニット３１１に取り付けられた状態における軸受部材３１２の外輪３６２に対して回動部材３７１の開口部３８４が嵌め込まれることにより、動作ユニット３１３が支持ユニット３１１に対して回動可能に取り付けられる。回動部材３７１の開口部３８４内には、突条リブ３８５が径方向内側に僅かに突出し、上下方向に連続して形成され、軸受部材３１２の外輪３６２が突条リブ３８５の径方向内側部分を僅かに変形させる圧入状態にして軸受部材３１２に回動部材３７１が取り付けられる。なお、回動部材３７１の開口部３８４内に突条リブ３８５を必ずしも設ける必要はなく、外周壁部３８２における断面略円形の内面に軸受部材３１２の外輪３６２が接触して軸受部材３１２に回動部材３７１が取り付けられても良い。
【０１２３】
回動部材３７１における開口部３８４の内周部分には、図１８に示すように、複数箇所（例えば、６カ所）において上面部３８１から下方に軸受係合フック３８６が突出形成されている。軸受係合フック３８６の先端部分は軸受部材３１２の下側に位置し、回動部材３７１が軸受部材３１２に対して上方側へ移動不能に取り付けられる（図１６（ａ）参照）。軸受係合フック３８６は、軸線Ｌ０を中心とした周方向に離間して複数箇所に設けられ、軸受部材３１２に対して回動部材３７１が傾斜し難くされている。なお、軸受係合フ
ック３８６は、周方向に沿って略等間隔に離間させて少なくとも３カ所以上に設けることが好ましく、４カ所以上とすることが好適である。
【０１２４】
ここで、支持ユニット３１１の取付ベース３２１には、図１３に示すように、軸受係合フック３８６の設置間隔に対応して上下方向に貫通するフック操作開口部３４３が開口形成されている。軸受係合フック３８６は、軸線Ｌ０に対して略等間隔に配置され、取付ベース３２１のフック操作開口部３４３は軸受係合フック３８６の配置間隔に一致して軸線Ｌ０に対して略等間隔に離間して開口形成されている。また、取付ベース３２１のフック操作開口部３４３は、軸線Ｌ０からの径方向における距離が軸受係合フック３８６の配置位置に一致して開口形成されている。このため、軸受係合フック３８６は、取付ベース３２１のフック操作開口部３４３を通じて支持ユニット３１１の下側より操作可能とされ、入力装置３００単体の状態においては、必要に応じて軸受部材３１２と軸受係合フック３８６との係合状態を解除して回動部材３７１を軸受部材３１２から容易に取り外し可能とされている。
【０１２５】
回動部材３７１の上面部３８１には、図１７に示すように、軸線Ｌ０を中心として周方向に離間した複数箇所（例えば、３カ所）において上方に開口したバネ挿入部３８７が形成されている。バネ挿入部３８７は、図１８及び図１９に示すように、コイルバネ３７３の外形より僅かに大径に開口した略円形の穴形状をなし、バネ挿入部３８７の下端側には、コイルバネ３７３の下側を支持可能なバネ受け部３８８がバネ挿入部３８７の外周面より内側に突出形成されている。各バネ挿入部３８７には、コイルバネ３７３が挿入され、コイルバネ３７３の下側部分がバネ受け部３８８により支持され、コイルバネ３７３の周方向側への変形がバネ挿入部３８７の内面に抑えられることにより、コイルバネ３７３がバネ挿入部３８７の連続する上下方向に沿って伸縮可能に取り付けられている。
【０１２６】
移動部材３７２は、図１７及び図１８に示すように、回動部材３７１の上面部３８１に対して上側に重なり、回動部材３７１の上面部３８１より大きな外形に形成された上面部３９１と、上面部３９１の外周部分より下方に円筒状に連続する外周壁部３９２とを有している。移動部材３７２の外周壁部３９２は、回動部材３７１の外周壁部３８２の外形より大きな内径を有し、回動部材３７１の外周壁部３８２の周りを囲った状態にして取り付けられ、また、移動部材３７２の外周壁部３９２の内面部分に形成されるガイド突部３９３が回動部材３７１のガイド溝３８３内に入り込んだ状態にして回動部材３７１に対して移動部材３７２が取り付けられる。
【０１２７】
移動部材３７２には、図１８に示すように、回動部材３７１のバネ挿入部３８７の設置位置に対応して、コイルバネ３７３の中心軸部分に挿通される円柱状のネジ取付ボス３９４が上面部３９１より下方に突出して形成されている。ネジ取付ボス３９４は、バネ受け部３８８の中央部分に形成される貫通孔より小径に形成され、ネジ取付ボス３９４の先端部分がバネ受け部３８８を上下に貫通している。ネジ取付ボス３９４の長さは、図１９に示すように、回動部材３７１の外周壁部３８２の上下長さより長く形成されている。ネジ取付ボス３９４は、押圧操作がされていない非押圧状態においては回動部材３７１のバネ挿入部３８７に対して上端部分が上方側に突出している。押圧操作がされると回動部材３７１のバネ挿入部３８７に対してネジ取付ボス３９４が下側に相対的に移動し、ネジ取付ボス３９４の先端部分がバネ受け部３８８より下側に突出する。
【０１２８】
ネジ取付ボス３９４の下側には、図１９に示すように、上下方向に厚みを有し、径方向において回動部材３７１の外周壁部３８２と略同一幅に形成された環状の金属板３７４が取り付けられている。金属板３７４には、図１７及び図１８に示すように、ネジ取付ボス３９４の設置位置に対応した複数箇所（例えば、３カ所）において、ネジ孔３７４ａが上下に貫通形成され、ネジ孔３７４ａに対して固定ネジ３７５が下側より挿通され、固定ネ
ジ３７５の先端部分がネジ取付ボス３９４に締結されることにより、移動部材３７２と金属板３７４とが一体化される。移動部材３７２と金属板３７４とを締結する際には、回動部材３７１のバネ挿入部３８７内にコイルバネ３７３が設置され、移動部材３７２と回動部材３７１との間にコイルバネ３７３が圧縮された状態にして移動部材３７２と金属板３７４とが一体化される。
【０１２９】
移動部材３７２は、回動部材３７１に対してコイルバネ３７３が伸張する方向側に相当する上方側に付勢されている。移動部材３７２に対してコイルバネ３７３の付勢力より大きな下向きの押圧力が作用すると、移動部材３７２が回動部材３７１に対して下方に相対的に移動する。
【０１３０】
移動部材３７２の外周部には、図１７に示すように、軸線Ｌ０から離間する径方向外側に係合突部３９５が突出して設けられている。係合突部３９５は、内側に変位可能に上方側に突出形成される係合フックの先端部として形成され、軸線Ｌ０を中心とした複数箇所（例えば、４カ所）に離間して設けられている。係合突部３９５に対しては、ボタンカバー３１５のカバー係合部４１５（図１４及び図１５参照）が係合し、これにより、移動部材３７２とボタンカバー３１５とが一体化される。
【０１３１】
ここで、コイルバネ３７３は、図１９に示すように、軸受部材３１２の外輪３６２と、支持ユニット３１１（取付ベース３２１）の外壁３３１との間に形成される隙間空間に一部が位置した状態にして回動部材３７１と移動部材３７２との間に設置されている。コイルバネ３７３が軸受部材３１２に対して径方向外側に配置されるので、軸受部材３１２を有し、軸線Ｌ０に沿った押圧操作と軸線Ｌ０を中心とする回動操作との両操作が可能な操作部３０１を有する入力装置３００を軸線Ｌ０に沿った方向側において薄く形成することができる。よって、遊技領域２３ａを大型化したり、下皿２９ａの設置領域を確保したりし易くすることができる。
【０１３２】
次に、ボタンカバー３１５について説明する。
【０１３３】
ボタンカバー３１５は、図１４及び図１５に示すように、遊技者によって押圧操作と回動操作とが行われる操作部３０１を表面側に形成する部材であり、上方側に膨出し、下側に開口した内部空間を形成する平面視略円形のキャップ状に形成されている。ボタンカバー３１５は、透明な合成樹脂製の部材を複数組み合わせて構成され、上下方向に厚みを有する略円形の板状に形成されて操作部３０１の上面部分に相当する上面操作部３０１ａを形成するボタン上面部４０１と、ボタン上面部４０１の外周部分より下側に連続する略円筒状に形成されて操作部３０１の外周部分に相当する周面操作部３０１ｂを形成するボタン周面部４０２とを備えている。ここで、操作部３０１、上面操作部３０１ａ及び周面操作部３０１ｂは、遊技者によって直接的に触れられる表面の一部に相当し、ボタン上面部４０１及びボタン周面部４０２は、操作部３０１、上面操作部３０１ａ及び周面操作部３０１ｂを表面側に形成する厚みを有するボタンカバー３１５の一部に相当する。
【０１３４】
上面操作部３０１ａ（ボタン上面部４０１）と周面操作部３０１ｂ（ボタン周面部４０２）とは、図１１に示すように、上側膨出部２８において共に上方側に突出し、上面操作部３０１ａ及び周面操作部３０１ｂは、遊技者が直接接触可能にパチンコ機１０の前面側において露出されている。遊技者は、上面操作部３０１ａを指で押したり、手の平で叩いたりすることにより操作部３０１に対する押圧操作をすることができる。
【０１３５】
周面操作部３０１ｂは、最大限に操作部３０１が押し込まれた状態においても、取付ベース３２１の外壁３３１の上端及び上側膨出部２８における取付凹部２８ｂの上端より上方側に突出する長さに設定されている。図１１には、操作部３０１が最大限に押し込まれ
た状態における操作部３０１の高さ位置を一点鎖線で示している。このため、押圧操作中においても軸線Ｌ０に対して径方向外側よりボタン周面部４０２に指を掛けたり、軸線Ｌ０を中心とする両側部分を掴んだりして操作部３０１の回動操作を容易にすることができる。
【０１３６】
なお、周面操作部３０１ｂは、必ずしも遊技者が接触可能にパチンコ機１０の前面側において露出されている必要はなく、上面操作部３０１ａのみを遊技者が接触可能とし、ボタン周面部４０２は取付ベース３２１の外壁３３１の上端及び上側膨出部２８における取付凹部２８ｂの上端より下側に位置して上側膨出部２８に周面操作部３０１ｂが埋もれた状態とされていても良い。かかる配置であっても、遊技者は、上面操作部３０１ａを回動させることによって操作部３０１の回動操作をすることができる。この場合には、上面操作部３０１ａにおいて軸線Ｌ０から離間した径方向外側端部が周方向に沿って上下に起伏した形状とすることが回動操作をし易くすることができて好ましい。
【０１３７】
ここで、図２０を主に参照してボタンカバー３１５の形状詳細について説明する。図２０（ａ）は、ボタンカバー３１５の平面図であり、図２０（ｂ）は、図２０（ａ）のＣ−Ｃ線におけるボタンカバー３１５の断面図であり、図２０（ｃ）は、図２０（ａ）のＤ−Ｄ線におけるボタンカバー３１５の断面図である。なお、図２０（ａ）には、操作部３０１に対する装飾部３０２の形状を二点鎖線で併せて示している。
【０１３８】
ボタンカバー３１５のボタン上面部４０１は、図２０（ｂ）及び図２０（ｃ）に示すように、中央部分が上方側に僅かに膨出した円弧状又は曲線状に形成され、上側を向いてボタン上面部４０１の外面を形成する表面は起伏が少ない滑らかな面形状とされ、下側を向いてボタン上面部４０１の内面を形成する裏面についても同様に起伏の少ない滑らかな面形状とされている。このため、ボタン上面部４０１を通じてボタンカバー３１５の内面側が透視し易くなり、ボタンカバー３１５の下側に配置される装飾ユニット３１４を視認し易くすることができる。
【０１３９】
ボタン上面部４０１とボタン周面部４０２とが連続するコーナー部４０３は、図２０（ｂ）及び図２０（ｃ）に示すように、軸線Ｌ０を含む断面視において円弧状に形成されている。コーナー部４０３には、図２０（ａ）に示すように、複数の凹み部４０４が周方向に点在し、凹み部４０４に対して周方向両側には、軸線Ｌ０から離間する径方向外側であって斜め上方側に突出した操作突部４０５が形成され、隣り合う凹み部４０４の間に操作突部４０５が介在して配置されている。遊技者は、ボタンカバー３１５を回動操作する際には、凹み部４０４に指先を入れ、軸線Ｌ０を中心に指先を回動させる。これにより、指先が操作突部４０５に当接して操作部３０１が回動することとなるので、遊技者は操作部３０１を容易に回動操作することができる。
【０１４０】
凹み部４０４は、径方向内側に位置する凹底部４０６と、凹底部４０６に対して周方向に沿った両側において径方向外側に突出する操作突部４０５と、凹底部４０６における押下方向側に相当する下側より径方向外側に突出する段部４０７とにより形成され、押下方向の反対側に相当する上方側及び軸線Ｌ０から離間する径方向外側が開放し、押下方向側及び径方向内側に向かって凹んだ形状とされている。
【０１４１】
凹底部４０６は、図２０（ｃ）に示すように、ボタン上面部４０１と一体形成された部位によって構成され、上面操作部３０１ａに対して滑らかに表面が連続している。遊技者は、ボタン上面部４０１を操作していた指先を滑らせて凹み部４０４内に移動することができ、指先が引っかかることなくスムースに移動可能とされている。また、凹底部４０６は、軸線Ｌ０を中心として回転させた表面形状とされ、上面操作部３０１ａから凹底部４０６に対しては、周方向におけるいずれの部位からでも、同様の感触にて指先を凹み部４
０４側に移動することができる。これにより、遊技者は、操作部３０１に対する押圧操作と回動操作との切り替えに必要な指先の移動を良質な感触をもって簡易に実行することができる。
【０１４２】
段部４０７は、図２０（ｃ）に示すように、凹底部４０６における下側部分に対して径方向外側に連続するように形成されている。段部４０７は、上面操作部３０１ａに対して押圧方向先端側に相当する下側に一段下がった位置にて上側を向く表面を有する形状とされている。遊技者は、段部４０７を指先で下側に押し込むことにより押圧操作を容易に実行することができ、また、軸線Ｌ０を中心として指先を回動することにより操作突部４０５に指先が引っかかるために回動操作も容易に実行することができる。
【０１４３】
段部４０７の上面は、非押圧状態及び押圧状態のいずれにおいても支持ユニット３１１の上端開口縁部分よりも常に上側に位置する高さに設けられている。このため、回動操作は、段部４０７の押圧操作中にも実行することができ、一本の指先だけでも押圧操作と回動操作の両方共に実行することができる。
【０１４４】
凹み部４０４は、図１１に示すように、径方向外側視において、上方側が開口し、下側に凹んだ溝状に形成され、下側の底部分が円弧形状に形成されている。入力装置３００の操作部３０１は、上記したように従来より拡大化されており、凹み部４０４が周方向における複数箇所に形成されても、各凹み部４０４の上端側における開口幅（周方向における幅）が一般成人男性の指先を容易に差し込み可能な幅（例えば、１ｃｍ以上の幅）に形成することができる。凹み部４０４は、少なくとも６カ所以上とすることが押圧操作中に回動操作をし易くするために好ましく、本実施形態においては１０カ所とされている。
【０１４５】
操作突部４０５は、図２０（ａ）等に示すように、軸線Ｌ０に近づく径方向内側ほど周方向側の長さが短い尖形とされている。このため、ボタン上面部４０１と凹み部４０４との指先の移動に際して操作突部４０５における径方向内側端部に指先が引っかかり難く、周方向において隣り合う操作突部４０５の間に位置する凹底部４０６上に向かって指先を適切且つ容易に移動することができる。
【０１４６】
操作突部４０５の最大突出部分は、図２０（ｂ）に示すように、ボタン上面部４０１に対して軸線Ｌ０から離間する径方向外側に略面一に連続する形状とされている。遊技者がボタン上面部４０１に載せていた指先を凹み部４０４へ向かって移動する際に操作突部４０５の存在する位置に指先を移動してしまった場合でも、操作突部４０５に指先が引っかかることなく操作突部４０５の上に指先がスムースに移動することができる。そして、操作突部４０５に対して周方向側に凹みが位置することも指先の中央部分が突出している感触により容易に理解することができるので、凹み部４０４側に容易に指先を移動することができる。すなわち、遊技者は、わざわざ操作部３０１に視線を移動することなく、簡易に操作部３０１に対する押圧操作と回動操作との切り替えを行うことができ、遊技中には遊技者の視線に対して正面側に位置する遊技領域２３ａや図柄表示装置９４の表示画面９４ａ等に注目して遊技を行うことができる。なお、操作突部４０５の最大突出部分は、上記した形状に限らず、ボタン上面部４０１に対して下側に位置して段差を形成する形状とされていても同様の効果を奏するので好ましい。
【０１４７】
凹み部４０４及び操作突部４０５の数は、図２０（ａ）に示すように、操作部３０１を通じて視認可能となる装飾部３０２の形状に対応している。装飾部３０２は、軸線Ｌ０を中心として基本となる形状を周方向に５つ複写した形状とされており、凹み部４０４及び操作突部４０５は、その数の整数倍に相当する１０カ所に形成されている。このため、操作部３０１と装飾部３０２とのデザインに一体感が生じて見栄えが良く、操作部３０１に対して装飾部３０２が相対的に動作する場合におけるデザインを良好なものとすることが
できる。
【０１４８】
ボタンカバー３１５は、図２０（ｂ）及び図２０（ｃ）に示すように、上面側が閉塞され、下面側が略円形に開口形成された円筒形状の内カバー４１１と、内カバー４１１より一回り大きな内径を有して内カバー４１１の外側に重なる円環形状の外カバー４１２とを備えている。内カバー４１１と外カバー４１２とは、いずれも透光性を有する合成樹脂により形成され、内カバー４１１の開口内に相当する内部領域Ｒが、操作部３０１に対して裏面側に位置し、操作部３０１に相当する表面側より内部領域Ｒが透視可能とされている。ここで、外カバー４１２は、上面操作部３０１ａに対応する部分が上下方向に貫通し、内カバー４１１のみを透視して内部領域Ｒに配置される装飾ユニット３１４が遊技者から視認可能とされている。このため、二重のカバーを透視して装飾ユニット３１４を視認する場合に比べて装飾ユニット３１４を遊技者がし易くすることができる。
【０１４９】
内カバー４１１は、ボタン上面部４０１と凹底部４０６とを形成する部材であり、凹底部４０６に対して押圧方向側に相当する下側には筒状の内カバー周壁部４１３が一体形成されている。内カバー４１１は、軸線Ｌ０を中心として回転して得られる形状に略一致し、軸線Ｌ０を含む断面形状が周方向において略一定に形成されている。
【０１５０】
内カバー周壁部４１３における開口端側に相当する下側には、内カバー４１１の厚み分に相当する幅で構成された部位と、内カバー４１１に外カバー４１２の厚み分を加えた幅で構成された部位とが周方向に連続し、下側を向いて略円形に形成され、この下側の端面が動作ユニット３１３における移動部材３７２の上面の一部に当接する当接部を構成する。ボタンカバー３１５の操作部３０１に対する押圧操作は、内カバー４１１の下部を通じて移動部材３７２に伝達され、又、移動部材３７２に対してのコイルバネ３７３の反発力が内カバー４１１を通じてボタンカバー３１５に伝達される。これにより、遊技者による操作部３０１に対しての押圧操作によってボタンカバー３１５と移動部材３７２とが一体的に動作する。
【０１５１】
ここで、内カバー４１１と外カバー４１２とは、一部品で構成しても良く、この場合には、ボタンカバー３１５の凹み部４０４に対応する内面部分を外面形状に対応させて起伏させて略一定の肉厚に設定することが合成樹脂の成形性の観点から好ましく、軸線Ｌ０を通る断面形状が周方向において変化した形状とすることが好ましい。
【０１５２】
これに対して、本実施形態における入力装置３００においては、外カバー４１２と内カバーとを組み合わせてボタンカバー３１５を形成し、内カバー４１１は、軸線Ｌ０を含む断面形状が周方向において略一定に形成されている。このため、内カバー４１１の周方向における形状変化が少なく、上面操作部３０１ａが強打されても形状変化に伴う応力集中を低減し、長期にわたって過負荷による変形及び破損を防止し、変形に伴う変色による透明度の低下といった不都合が生じ難いボタンカバー３１５として、耐衝撃性に優れた入力装置３００とすることができる。
【０１５３】
外カバー４１２は、図２０（ｃ）に示すように、その下側における円筒形状部分よりも上側部分において軸線に近づく側に突出した形状をなしている。外カバー４１２の上側部分は、ボタンカバー３１５の操作突部４０５と段部４０７とを形成する。外カバー４１２により形成される段部４０７に対して押圧方向側に相当する下側には、内カバー周壁部４１３が外カバー４１２に当接し、又は僅かな隙間を設けて配置されている。
【０１５４】
外カバー４１２の下側端面の一部分は、図２０（ｃ）に示すように、ボタンカバー３１５の下面の少なくとも一部を形成しており、外カバー４１２が移動部材３７２に当接する構成とされている。段部４０７に対しての押圧方向側への押圧力は、外カバー４１２と移
動部材３７２との当接部分を通じて移動部材３７２に伝達される。また、段部４０７に対しての一定以上の押圧力については内カバー周壁部４１３により下側部分が支持され、これによっても、ボタンカバー３１５の破損を防止した耐衝撃性に優れた構成とすることができる。
【０１５５】
内カバー周壁部４１３における開口端側には、図１５に示すように、下方に部分的に突出した係合突部４１４が周方向に離間した複数箇所（例えば、４カ所）に設けられている。各係合突部４１４は、図２０（ｂ）に示すように、内カバー周壁部４１３に対して軸線Ｌ０に近い径方向内側の壁面を下方に延長した形状であって周方向において断続的に突出し、軸線Ｌ０から離間した径方向外側においては、内カバー周壁部４１３に対して径方向外側に突出した鍔状に形成されている。このため、係合突部４１４は、内カバー周壁部４１３よりも径方向側において厚く形成されている。外カバー４１２における下側部分には、各係合突部４１４の外形に対応して上方側に凹んだ形状とされている。
【０１５６】
各係合突部４１４は、図１５に拡大視して示すように、径方向内側において下側に突出した部分に比べて径方向外側において下側に突出した部分の方が周方向両側に長く連続した形状とされている。移動部材３７２の上面には、図１４に拡大視して示すように、軸線Ｌ０から係合突部４１４の内側部分に一致する距離分、径方向外側に離間した位置において、周方向に断続的に連続する上面リブ３９６が周方向に延びるようにして設けられ、上面リブ３９６の断続部分の間隔と係合突部４１４の長さとは略一致し、係合突部４１４が上面リブ３９６の断続部分に入り込んだ嵌合状態にしてボタンカバー３１５が移動部材３７２の上側に設置される。このため、ボタンカバー３１５に対する回動操作力は、係合突部４１４の周方向側の端面が上面リブ３９６に当接することによって移動部材３７２に伝達され、ボタンカバー３１５と移動部材３７２とが一体的に回動動作可能とされている。また、各係合突部４１４の径方向外側部分における周方向両端部が上面リブ３９６に対して径方向外側に重なりつつ当接可能に配置され、移動部材３７２に対して前後及び左右方向といった内カバー４１１の軸線Ｌ０に交差する方向側への移動が係合突部４１４と上面リブ３９６との係合により制限されている。
【０１５７】
外カバー４１２は、図２０（ｂ）に示すように、下側部分が軸線Ｌ０を中心とした略一定の外径及び内径を有して上下に連続し、上側部分において外径及び内径が下側部分より次第に狭められた略筒状に形成されている。外カバー４１２は、内カバー４１１に対して上方側より嵌められた状態とされて内カバー４１１に一体化されている。
【０１５８】
外カバー４１２の上部には、操作突部４０５の外形形状に対応して上方側に略三角形状に突出した突出部分が周方向における複数箇所に形成され、内カバー４１１の表面には、外カバー４１２における操作突部４０５の外形形状に対応して僅かに凹み部分が形成されるように段差が設けられ、この凹み部分に外カバー４１２の上部が僅かに入り込んだ状態となって内カバー４１１と外カバー４１２とが係合している。このため、外カバー４１２と内カバー４１１との一体感が高められて見栄えが良く、且つ、外カバー４１２と内カバー４１１との当接部分における隙間内に指先が挟まれ難く、更には、外カバー４１２又は内カバー４１１の一方側に作用させた回動操作力による他方側の位置ずれを生じ難くしてガタ感の少ないスムースな操作性を有する構成とされている。
【０１５９】
外カバー４１２の下側部分には、移動部材３７２の上部における外周部分に対して外方側より係合するカバー係合部４１５が周方向に離間した複数箇所（例えば、４カ所）に設けられている（図１４及び図１５参照）。カバー係合部４１５は、外カバー４１２の円筒部分に対して下方に突出し、軸線Ｌ０から離間する径方向に沿って貫通する略矩形状の貫通孔を有する形状とされている。移動部材３７２に対して外カバー４１２は、カバー係合部４１５の貫通孔内に係合突部３９５の突起が入った状態にして嵌合固定される。外カバ
ー４１２と移動部材３７２との間には、内カバー４１１が挟まれた状態に配置され、これにより、ボタンカバー３１５（内カバー４１１及び外カバー４１２）と移動部材３７２とが相対移動不能に一体化されている。
【０１６０】
次に、装飾ユニット３１４の構成について、図１４及び図１５に加えて、図２１から図２３を参照して説明する。図２１は、斜め上側から見た装飾ユニット３１４の分解斜視図であり、図２２は、斜め下側から見た装飾ユニット３１４の分解斜視図である。図２３（ａ）及び図２３（ｂ）は、装飾ユニット３１４の動作を説明するための断面図及びその部分拡大図であり、軸線Ｌ０と、装飾部３０２を回転させるための回転モータ３０３の出力軸の中心とを通る断面を示している。なお、図２３（ｂ）は、図２３（ａ）に対して羽根部材４２２が回転して異なる位置に配置された状態を示している。
【０１６１】
装飾ユニット３１４は、入力装置３００を装飾する機能と、操作部３０１の変位を検出する機能とを備え、複数の機能を構成する部材が一体化された状態で支持ユニット３１１の取付ベース３２１に固定されている。装飾ユニット３１４は、図２１及び図２２に示すように、装飾ベース４２１と、装飾ベース４２１に対して回転可能に設けられる装飾部３０２を形成する羽根部材４２２と、羽根部材４２２に駆動力を付与する回転モータ３０３及び伝達ギヤ４２３と、羽根部材４２２を発光させる発光体４２４及び操作部３０１に対する操作を検出するフォトセンサ４２５，４２６が搭載される入力装置基板４２７と、羽根部材４２２の下側に固定的に設けられる装飾カバー板４２８とを備えている。
【０１６２】
装飾ベース４２１は、装飾ユニット３１４として各部材を一体化する部材であり、図２２に示すように、本体部４３１と、本体部４３１より支持ユニット３１１側に突出して形成された接続部４３２とを備えている。接続部４３２は、本体部４３１の下面における複数箇所（例えば、３カ所）から、軸線Ｌ０の連続する方向に沿って下方に柱状に突出している。
【０１６３】
装飾ベース４２１は、接続部４３２の下端が取付ベース３２１の装飾取付部３３５に当接した状態にして支持ユニット３１１に取り付けられる。接続部４３２の下端面にはネジ孔が開口形成され、装飾取付部３３５の下側より複数のネジが挿通されて接続部４３２が装飾取付部３３５に固定される（図１４及び図１５参照）。このため、装飾ベース４２１の本体部４３１は、取付ベース３２１に対して接続部４３２によって細い軸形状の部位により浮いたような状態にして支持ユニット３１１に連結固定されている。
【０１６４】
装飾ベース４２１の本体部４３１は、図２２及び図２３（ａ）に示すように、軸線Ｌ０に近い中央部分が下側に位置し、軸線Ｌ０から離間した外側部分が上側に位置するように、上下２段に高さをずらして配置した板部４３３，４３４を組み合わせた形状とされている。以下、上側の板部４３３を上板部４３３といい、下側の板部４３４を下板部４３４という。
【０１６５】
上板部４３３は、本体部４３１の外側部分を形成する部位であり、略円形の外形に形成され、軸線Ｌ０に近い中央部に略円形状の開口４３５が形成された中空円盤形とされている。上板部４３３の開口４３５は、上方側に開口し、下側部分に閉塞した収容部の上側における縁部分を形成する。
【０１６６】
装飾ベース４２１には、図２１及び図２２に示すように、周壁部４３６と下板部４３４とにより略円筒箱状の収容部が上方側に開口形成されている。周壁部４３６は、上板部４３３の開口４３５に内面が一致して下方に略筒状に連続し、周壁部４３６の下端部は、下板部４３４に接続されている。下板部４３４は、上下方向に厚みを有して周壁部４３６の内面側に相当する径方向内側に連続する板状に形成され、周壁部４３６の下側に相当する
底面側が下板部４３４により閉塞されている。
【０１６７】
下板部４３４における軸線Ｌ０に近い中央部には、図２１及び図２３（ａ）に示すように、軸線Ｌ０を中心として上方側に円筒状に突出する支軸部４３７が一体形成されている。支軸部４３７には、伝達ギヤ４２３が上方側より差し込まれて取り付けられ、伝達ギヤ４２３が軸線Ｌ０を中心として回動可能に支軸部４３７に支持されている。伝達ギヤ４２３に対して下側には、下板部４３４が対向しつつ接触し、伝達ギヤ４２３の下側への移動が下板部４３４により制限されている。
【０１６８】
伝達ギヤ４２３の下端部には、図２２に示すように、径方向側に起伏した形状により周方向側に連続するギヤ部４２３ａが設けられている。ギヤ部４２３ａに対して軸線Ｌ０から離間する径方向外側には、図２３（ａ）に示すように、ギヤ部４２３ａに噛み合う入力ギヤ部が外周部分に形成された駆動ギヤ４２９が伝達ギヤ４２３に噛み合わされた状態にして配置されている。伝達ギヤ４２３と駆動ギヤ４２９とは、各ギヤの外周部分において周方向に起伏して形成された歯形のギヤにより連動し、駆動ギヤ４２９側から入力される駆動力が伝達ギヤ４２３に伝達される。なお、図２１から図２３においては、伝達ギヤ４２３及び駆動ギヤ４２９の歯形に対応する起伏形状を省略している。
【０１６９】
駆動ギヤ４２９は、図２１に示すように、回転モータ３０３の出力軸の先端部分に圧入される合成樹脂製の部材である。回転モータ３０３の出力軸は、図２３（ａ）に示すように、伝達ギヤ４２３の回動中心に相当する軸線Ｌ０に対して離間した位置において平行となるように上下方向に連続している。駆動ギヤ４２９は、回転モータ３０３の回動に伴って回動し、回転モータ３０３の回動に基づく駆動ギヤ４２９の回動によって伝達ギヤ４２３が連動する。
【０１７０】
伝達ギヤ４２３の上端部には、図２１に示すように、周方向に点在して上方側に突出して形成された羽根取付部４４１が設けられている。羽根部材４２２において軸線Ｌ０に近い中央部には、伝達ギヤ４２３の羽根取付部４４１に嵌合可能な取付孔部が羽根取付部４４１の突出部分に対応した位置に開口形成され、伝達ギヤ４２３の羽根取付部４４１が羽根部材４２２の取付孔部に挿入されることにより、伝達ギヤ４２３の回動に連動して羽根部材４２２が回動可能とされる。従って、回転モータ３０３の回動制御によって羽根部材４２２が回動し、回転モータ３０３の回動方向に対応して羽根部材４２２が軸線Ｌ０を中心とした一方側と他方側との両方向に回動する。
【０１７１】
支軸部４３７の上部には、図２３（ｂ）に示すように、径方向外側の外周面から僅かな厚みを有するようにして内面が位置し、軸線Ｌ０を中心とする断面略円形の内面形状にて下側に凹んだ支軸上側凹部４３８が形成されている。支軸上側凹部４３８において下側に凹んだ底面側には、軸線Ｌ０に沿って下方に連続するネジ取付穴４３９が形成されている。支軸上側凹部４３８に対しては、支軸固定部材４５１が上方側より差し込まれて固定される。
【０１７２】
支軸固定部材４５１は、装飾ベース４２１の支軸部４３７に伝達ギヤ４２３と羽根部材４２２とを回動可能に取り付けるための部材である。支軸固定部材４５１は、図２３（ｂ）に示すように、上方側が開口し、上下方向に連続する筒状の胴部４５２と胴部４５２の下側を部分的に閉塞する底面部４５３とを有している。底面部４５３において軸線Ｌ０を含む中心部分には上下方向に貫通する軸孔が形成され、その軸孔を通じて上方側より固定部材としてのネジ４５４が挿通される。ネジ４５４の先端部は、支軸部４３７に形成されるネジ取付穴４３９に締結され、ネジ４５４により支軸固定部材４５１が装飾ベース４２１に固定されている。
【０１７３】
支軸固定部材４５１には、図２３（ｂ）に示すように、胴部４５２の上縁部分より径方向外側へ鍔状に突出するギヤ端側支持部４５５が形成されている。ギヤ端側支持部４５５は、軸線Ｌ０を中心とする略全周にわたって形成されている。伝達ギヤ４２３の上側には、羽根部材４２２の一部が配置され、伝達ギヤ４２３及び羽根部材４２２の上側に重なりつつ羽根部材４２２の上側に当接してギヤ端側支持部４５５が位置している。このため、羽根部材４２２及び伝達ギヤ４２３の上方側への移動がギヤ端側支持部４５５により制限され、羽根部材４２２及び伝達ギヤ４２３は、支軸固定部材４５１と装飾ベース４２１との間において軸線Ｌ０を中心に回動可能に支軸部４３７に支持された状態にして、装飾ベース４２１と一体化されている。
【０１７４】
羽根部材４２２の上側には、図２３（ｂ）に示すように、支軸固定部材４５１を固定するネジの頭部を覆う合成樹脂製のキャップ部材４６１が取り付けられる。キャップ部材４６１は、羽根部材４２２における軸線Ｌ０に近い中央部より上方側に突出する係合フック４７１によって羽根部材４２２に固定されている。係合フック４７１は、軸線Ｌ０を中心とする周方向に離間して複数設けられている。キャップ部材４６１の表面側に相当する上面には、曲面を組み合わせることにより装飾用のデザインが付加され、支軸固定部材４５１及びネジ４５４の頭部を遊技者が直視できないようにして羽根部材４２２の中央側部分に相当する装飾の見栄えが向上されている。
【０１７５】
羽根部材４２２は、ボタンカバー３１５を通じて遊技者に視認される装飾部３０２を構成する部材であり、図２１から図２３に示すように、軸線Ｌ０に近い中心部を形成し、上下方向に取付孔部４７２が貫通形成されたベース部４７３と、ベース部４７３より軸線Ｌ０から離間する径方向外側に突出する複数の羽根部４７４とを有している。羽根部材４２２は、透光性を有する合成樹脂により形成され、羽根部材４２２の下側に配置される発光体４２４の光を透過し、遊技者の視点位置に相当する上方側から羽根部材４２２を視認した場合に発光する構成とされている。
【０１７６】
羽根部材４２２は、回転モータ３０３の回動に連動して回動する部材であり、羽根部材４２２の回動中心は、操作部３０１（ボタンカバー３１５）の回動中心に対応し、操作部３０１の回動中心に相当する軸線Ｌ０に一致している。操作部３０１に対して遊技者による入力操作があった場合には、回転モータ３０３の回動を制御して羽根部材４２２を回動させたり、遊技者による操作部３０１への入力操作待ちの状態において羽根部材４２２を回動させて、操作部３０１への回動操作及び回動方向を示唆したり、操作部３０１に対する回動操作において適切な回動操作速度を、羽根部材４２２の回動速度により示唆可能とされている。
【０１７７】
なお、羽根部材４２２は、有色透明若しくは無色透明又は不透明な合成樹脂により形成し、表面又は裏面の一部に塗装又はメッキ等の表面処理を付しても良いし、アルミ等の金属材料により形成しても良いし、形状についても羽根形でなく、魚や人形等のキャラクタを模す等、他の形状に形成しても良い。
【０１７８】
装飾ベース４２１の上側には、図２３（ａ）に示すように、電子部品が搭載されたプリント基板により構成される入力装置基板４２７と、入力装置基板４２７の上面側に重なるようにして取り付けられる装飾カバー板４２８とが設けられている。装飾カバー板４２８の裏面側（下面側）には、ネジの先端部が締結される固定穴が設けられ、装飾ベース４２１の本体部４３１の上に入力装置基板４２７と装飾カバー板４２８とが重ねられた状態で、装飾ベース４２１の下側より複数のネジが挿通され、ネジの先端部が装飾ベース４２１に対して下面側より締結されることにより、装飾ベース４２１と装飾カバー板４２８との間に入力装置基板４２７が挟まれた状態にして一体化されている。
【０１７９】
入力装置基板４２７には、図２１に示すように、表面側（上面側）に複数の発光ダイオード（ＬＥＤ）により構成される発光体４２４が設けられている。発光体４２４から出力される光は、装飾カバー板４２８を通じて羽根部材４２２に照射され、羽根部材４２２が発光可能とされている。装飾カバー板４２８は、上下方向に厚みを有する透明板により構成され、その表面及び裏面には、装飾用の起伏が設けられ、また、表面部分に塗装やメッキ等により部分的に着色されて、発光体４２４の光を分散させたり集光させたりして羽根部材４２２に光が照射可能とされる。
【０１８０】
入力装置基板４２７の裏面側（下面側）には、図２２に示すように、非接触式のフォトセンサ４２５，４２６が複数搭載されている。フォトセンサ４２５，４２６は、コの字型に形成された本体の隙間部分が検知領域を構成し、下側に開口し、軸線Ｌ０を中心とする周方向に隙間が貫通する向きにして入力装置基板４２７の裏面側に搭載されている。フォトセンサ４２５，４２６は、操作部３０１に対する押圧操作と回動操作とを検知する。
【０１８１】
ここで、移動部材３７２の上面には、図１７に示すように、軸線Ｌ０を中心とする円環状で内外二重に上方側に突出して形成された被検知部３９７，３９８が設けられている。フォトセンサ４２５，４２６による操作部３０１に対する操作の検知は、移動部材３７２の被検知部３９７，３９８の位置をフォトセンサ４２５，４２６により検知することで行われる。
【０１８２】
軸線Ｌ０に近い側に形成される内側の被検知部３９７は、軸線Ｌ０を中心とした全周にわたって連続する円筒板状に形成されている。操作部３０１に対する押圧操作が行われていない非操作状態においては、内側の被検知部３９７に対応して設けられたフォトセンサ４２５の検知領域内に内側の被検知部３９７が位置する高さにフォトセンサ４２５が設置されている。操作部３０１に対しての押圧操作により一定量以上に動作ユニット３１３が下方へ移動するとフォトセンサ４２５の検知領域から外れた位置に被検知部３９７が移動し、これにより、フォトセンサ４２５の出力状態が切り替えられる（例えば、オン状態からオフ状態に切り替えられる）。フォトセンサ４２５は、入力装置基板４２７に接続されて入力装置３００を制御する制御基板（例えば、音声発光制御装置１４３）に接続され、フォトセンサ４２５の状態を検知して操作部３０１に対する押圧操作がパチンコ機１０に検知され、遊技者による押圧操作に応じた演出が図柄表示装置９４の表示制御やスピーカの音声出力制御を通じて実行される。
【０１８３】
外側の被検知部３９８は、操作部３０１の回動操作を検知するための部位であり、軸線Ｌ０を中心として周方向において一定間隔を隔てて断続的に形成されている。操作部３０１に対する回動操作が行われた場合には、フォトセンサ４２６の検知領域に対して外側の被検知部３９８が位置する状態と位置しない状態とが交互に切り替わり、フォトセンサ４２６の出力状態が交互に切り替わる（例えば、オン状態とオフ状態とが交互に切り替わる）。この外側の被検知部３９８の検知状態の切り替わりにより操作部３０１の回動操作が検知され、検知状態の切り替わり回数により操作部３０１の回動操作量が検知され、切り替わりの時間間隔により回動速度が検知される。操作部３０１の回動操作についても入力装置３００を制御する制御基板（本実施形態においては、音声発光制御装置１４３）により検知され、制御基板の制御により、操作部３０１に対する回動操作がパチンコ機１０に検知され、遊技者による回動操作に応じた演出が図柄表示装置９４の表示制御等により実行される。
【０１８４】
ここで、外側の被検知部３９８は、内側の被検知部３９７より上方側に大きく突出して形成され、操作部３０１が最大に押圧操作された状態においても外側の被検知部３９８がフォトセンサ４２６の検知領域から外れない高さ設定とされている。このため、操作部３０１に対する押圧操作中においても外側の被検知部３９８の存否がフォトセンサ４２６に
より検知可能とされ、操作部３０１を押圧操作している状況においても操作部３０１に対する回動操作を検知することができる。従って、遊技者による操作部３０１の押圧操作と回動操作とを確実に検知して、遊技者の意図に対応した適切な演出をパチンコ機１０において実行可能とし、また、遊技者に対して操作部３０１の押圧操作中においても回動操作を実行させる演出をパチンコ機１０に設定して多様な演出を実現することができる。
【０１８５】
回転モータ３０３は、伝達ギヤ４２３を通じて羽根部材４２２を回動させる駆動力を発生する部材であり、例えば、ステッピングモータにより構成されている。回転モータ３０３は、図２１及び図２２に示すように、その出力軸に駆動ギヤ４２９が取り付けられており、装飾ベース４２１の下板部４３４に対して下側よりネジにより取り付けられる。回転モータ３０３の出力軸の上端部分と駆動ギヤ４２９は、下板部４３４に形成される穴部分を通じて下板部４３４より上側に突出し、周壁部４３６の内側に配置される伝達ギヤ４２３に駆動ギヤ４２９が噛み合わされた状態にして回転モータ３０３が装飾ベース４２１に固定されている。
【０１８６】
羽根部材４２２の回動量は、回転モータ３０３の励磁状態の切り替え回数により制御される。羽根部材４２２の回転方向における位置は、入力装置基板４２７の裏面に搭載されるフォトセンサ４６３により伝達ギヤ４２３の被検知部４４２が検知されることにより制御され、これにより、パチンコ機１０の立ち上げ処理において、羽根部材４２２が初期位置として設定された向きに配置可能とされている。
【０１８７】
装飾ユニット３１４における装飾ベース４２１の中央部には、図２１及び図２２に示すように、軸線Ｌ０から径方向外側に離間した箇所において下方に半球状に突出形成された可動体４８１を有するクリック力発生機構４８０が設けられている。クリック力発生機構４８０は、軸線Ｌ０に沿った上下方向側に動作可能にケース４８２に収容される可動体４８１と、可動体４８１に付勢力を付与する圧縮コイルバネ（図示略）とを有し、可動体４８１がコイルバネの弾性力により下側に押し下げられた状態にしてネジにより装飾ベース４２１に取り付けられている。
【０１８８】
回動部材３７１の上面における軸線Ｌ０に近い中央側縁部には、図１７に示すように、周方向において上り傾斜と下り傾斜とが交互に連続して起伏した起伏面３８９が軸線Ｌ０を中心として全周にわたって設けられている。起伏面３８９は、可動体４８１に対して下側に対向する位置に形成され、コイルバネの付勢力により可動体４８１が起伏面３８９に押し付けられた状態となる高さ位置に回動部材３７１と可動体４８１が配置されている。
【０１８９】
可動体４８１に対しては、押圧操作がされていない非操作状態において起伏面３８９の凹み部分（谷部分）に可動体４８１が位置する程度に動作ユニット３１３を回動させる付勢力が生じる強さにコイルバネのバネ力が設定されている。回動部材３７１を回動させるには、コイルバネを圧縮して可動体４８１を押し上げるために必要な操作力が必要となる。回動部材３７１を回動させて、可動体４８１が起伏面３８９の突端部（頂部）を乗り越えると、次の起伏面３８９の凹み部分に向かってコイルバネの付勢力により回動部材３７１が移動し、回動部材３７１を回動させるための操作力は不要となる。操作部３０１を回動させた場合に遊技者に対しては、コイルバネの付勢力により回動操作力が変動する操作感（クリック感）を付加し、また、起伏面３８９を可動体４８１がカチカチと音を立てて乗り越える操作音を聴かせて、回転操作において節度感のある操作性を付加することができる。なお、クリック力発生機構４８０は必ずしも入力装置３００に備える必要はなく、クリック力発生機構４８０を省略しても良い。
【０１９０】
次に、遊技者による入力装置３００の操作方法について、図２４を主に参照して説明する。図２４は、操作部３０１の上下方向における動作を説明するための断面図であり、図
２４（ａ）は、押圧操作がされていない非押圧状態を示し、図２４（ｂ）は、押圧操作により下側に最大に移動した押圧状態を示している。
【０１９１】
入力装置３００の操作部３０１は、遊技中においては常に操作可能であり、具体的には、遊技者によって操作部３０１の押圧操作と回動操作とが共に実行可能とされている。
【０１９２】
遊技者が軸線Ｌ０に沿って操作部３０１を下方へ押圧操作すると、その押圧力がボタンカバー３１５と移動部材３７２とを通じてコイルバネ３７３に伝達される（図２４（ａ）参照）。コイルバネ３７３の上端部は、常に移動部材３７２に接触し、移動部材３７２を上方側へ押し上げる方向に付勢力を発生しており、コイルバネ３７３の付勢力より大きな押圧力が遊技者によって付加されると、コイルバネ３７３が圧縮しつつ移動部材３７２が下側へ移動し、移動部材３７２と一体化されたボタンカバー３１５も下側へ移動する（図２４（ｂ）参照）。
【０１９３】
移動部材３７２が一定量以上、下側へ移動すると、内側の被検知部３９７がフォトセンサ４２５の検知領域から外れた下側に位置し、フォトセンサ４２５に電気的に接続される音声発光制御装置１４３によって遊技者による押圧操作が検知される。
【０１９４】
遊技者が操作部３０１に対する押圧操作を終了すると、コイルバネ３７３の付勢力により移動部材３７２及びボタンカバー３１５が上方へ移動し、押圧操作前の非押圧状態に対応した非押圧位置に操作部３０１が復帰する。また、移動部材３７２の上方への移動によりフォトセンサ４２５の検知領域内に内側の被検知部３９７が入り込み、フォトセンサ４２５からの信号の出力状態が元の非押圧状態に対応した出力状態に復帰し、音声発光制御装置１４３により非押圧状態とされたことが検知される。
【０１９５】
遊技者が軸線Ｌ０を中心として操作部３０１を回動操作すると、ボタンカバー３１５及び動作ユニット３１３が軸線Ｌ０を中心として回動する。操作部３０１の回動操作中においては、クリック力発生機構４８０により一定の回動量毎に操作力が増減するクリック感が発生し、また、一定の回動量毎にカチカチと操作音が発生する。
【０１９６】
操作部３０１の回動に伴って移動部材３７２に設けられる外側の被検知部３９８も回動し、フォトセンサ４２６の検知範囲に対しては外側の被検知部３９８の存否が繰り返して変動することとなり、フォトセンサ４２６の出力信号が繰り返して切り替わる。フォトセンサ４２６からの信号出力は音声発光制御装置１４３により監視され、音声発光制御装置１４３により操作部３０１が回動する回動状態とされたことが検知される。フォトセンサ４２６の出力信号の変動は、操作部３０１に対する遊技者の回動操作が終了するまで継続し、回動操作が終了すると、フォトセンサ４２６の出力信号の変動が停止する。この出力信号の変動の停止により、音声発光制御装置１４３により回動操作が停止されたことが検知される。
【０１９７】
遊技者が操作部３０１に対する押圧操作中に回動操作を実行した場合には、内側の被検知部３９７がフォトセンサ４２５の検知範囲から外れた下側に位置した状態で、外側の被検知部３９８の存否がフォトセンサ４２６の検知範囲に対して繰り返し変動する。このため、内外の被検知部３９７，３９８を検知する両方のフォトセンサ４２５，４２６の出力信号の変化によって音声発光制御装置１４３は、操作部３０１が押圧操作された状態で回動操作されていることを検知し、その検知状態に対応した図柄表示装置９４の表示制御やスピーカの音声出力制御が実行される。
【０１９８】
入力装置３００に対しての押圧操作及び回動操作は、例えば、複数種類の演出の態様が遊技者によって選択可能な場合において回動操作により演出の態様を選択し、選択した演
出の態様を押圧操作によって決定する状況において使用される。音声発光制御装置１４３は、表示制御装置１４２を制御して選択可能な演出の候補を図柄表示装置９４の表示画面９４ａに表示し、遊技者が演出の態様を回動操作によって選択表示し、押圧操作によって決定可能とされている。
【０１９９】
ここで、本実施形態の入力装置３００においては、押圧操作中においても回動操作の実行が音声発光制御装置１４３により検知可能とされているので、押圧操作の際に誤って操作部３０１が回動し、意図しない候補が選択されてしまった場合であっても、操作部３０１を押圧したままで回動させて元の選択候補に復帰させることができる。操作部３０１に対する回動操作は、フォトセンサ４２６により押圧操作中においても検知可能とされているので、音声発光制御装置１４３は、操作部３０１の押圧操作前及び押圧操作中の双方において回動操作を検知した場合に、その回動操作を有効として回動操作に対応した制御を実行することができるのである。
【０２００】
この場合において、本実施形態の入力装置３００は、操作部３０１が大きく形成されている分、操作部３０１に力が入力されやすく、また、軸受部材３１２により回動方向への回動動作がスムースに実行可能とされているので、その分、押圧操作において回動方向側への操作力の成分が付加されて操作部３０１に作用し、操作部３０１が誤って回動してしまう虞もある。よって、押圧操作中においても回動操作が検知可能とされている構成が有用となる。
【０２０１】
次に、本実施形態におけるパチンコ機１０の効果について説明する。
【０２０２】
パチンコ機１０においては、遊技者によって操作される操作部３０１の上面（操作面）の反対側に位置する内部領域が遊技者から透視可能に構成され、内部領域には、操作部３０１に対して遊技者が回動操作をした場合における操作部３０１の回動方向と同一方向側及び逆側に回動可能であって遊技者から視認可能な装飾部３０２を構成する羽根部材４２２が設けられている。このため、遊技者による操作部３０１の回動操作が行われる前に装飾部３０２を変位動作させることで遊技者に対して必要な回動操作方向を示唆したり、回動操作の後に当該操作と同方向又は逆方向に装飾部３０２を回動させることにより所定の操作が行われたことを分かり易く示すことができる。よって、演出効果の高い遊技機とすることができる。
【０２０３】
装飾部３０２を構成する羽根部材４２２は、支軸部４３７によって動作可能に支持され、支軸部４３７を形成する装飾ベース４２１は、支持ユニット３１１（取付ベース３２１）の底面部３３２より軸受部材３１２の径方向内側を経由して操作部３０１が位置する上側に連続する部位に設けられている。このため、底面部３３２に対して軸受部材３１２の内輪３６１と外輪３６２とにより二重に囲われた高剛性の部位を経由した先側に装飾部３０２が取り付けられることとなる。よって、遊技者により操作部３０１が強打されても装飾部３０２への影響を少なくすることができ、装飾部３０２及び装飾部３０２を動作可能に支持する支軸部４３７を含む装飾ベース４２１の破損を防止して装飾部３０２の耐久性を高めると共に、装飾部３０２に対して必要とされる強度を低く抑えて低コストで入力装置３００を製造し易くすることができる。
【０２０４】
装飾部３０２を構成する羽根部材４２２を動作させる駆動力を発生する回転モータ３０３は、支持ユニット３１１（取付ベース３２１）の底面部３３２より軸受部材３１２の径方向内側を経由して操作部３０１が位置する上側に連続する部位に相当する装飾ベース４２１の下板部４３４に取り付けられている。このため、底面部３３２に対して軸受部材３１２の内輪３６１と外輪３６２とにより二重に囲われた高剛性の部位を経由した先側に装飾部３０２が取り付けられるので、回転モータ３０３及びその周辺部の破損を防止して回
転モータ３０３の耐久性を高めると共に、回転モータ３０３に入力される外力が低く抑えられることにより適用可能な回転モータ３０３の種類を増大し、入力操作手段を低コストで製造し易くすることができる。
【０２０５】
ストッパ面３４１が支持ユニット３１１（取付ベース３２１）の外壁３３１に設けられ、底面部３３２を基準として径方向外側において移動部材３７２の移動が制限される。装飾部３０２は、底面部３３２を基準としてストッパ面３４１とは反対側に相当する径方向内側を経由して連続する支軸部４３７に支持されるので、遊技者の操作によってストッパ面３４１に入力された操作力を支軸部４３７側へ伝達し難くすることができる。よって、遊技者によって移動部材３７２が軸線Ｌ０に沿った方向側に強力に押圧操作されても、その操作力が支軸部４３７側に作用する割合を抑えることができ、支軸部４３７に設けられる装飾部３０２等に対して作用する外力を低減して装飾部３０２の耐久性を高めつつ低コストで入力装置３００を製造し易くすることができる。
【０２０６】
ストッパ面３４１を形成する支持ユニット３１１（取付ベース３２１）の外壁３３１は、軸線Ｌ０を囲う略筒状に形成され、軸線Ｌ０に沿った方向側に厚みを有する略板状の底面部３３２に対して外壁３３１と軸受固定部３３３とが軸線Ｌ０を中心とする２重の略円筒状に突出形成されている。このため、支持ユニット３１１の剛性を一層高く確保し、耐衝撃性に優れた入力装置３００とすることができる。
【０２０７】
遊技者の操作による上面操作部３０１ａに対する押圧操作方向側への操作力は、軸受部材３１２の径方向内側を経由することなく、支持ユニット３１１（取付ベース３２１）のストッパ面３４１から外壁３３１と底面部３３２とを経由してパチンコ機１０の本体側に相当する上側膨出部２８に伝達される。このため、遊技者によって移動部材３７２が軸線に沿った方向側に強力に押圧操作されても、その操作力が軸受固定部３３３側に作用する割合を抑えることができ、軸受固定部３３３より径方向内側を経由した部位等に設けられる装飾部３０２等に対して作用する外力は一層低く抑えることができる。
【０２０８】
フォトセンサ４２５，４２６が搭載された入力装置基板４２７は、支持ユニット３１１（取付ベース３２１）の底面部３３２より軸受部材３１２の径方向内側を経由して操作部３０１が位置する上側に連続する部位に相当する装飾ベース４２１の本体部４３１の上に取り付けられている（図２４（ａ）参照）。このため、遊技者により操作部３０１が強打されても、入力装置基板４２７への影響を少なくすることができる。よって、入力装置基板４２７に搭載されるフォトセンサ４２５，４２６を含む電子部品の破損を防止して入力装置３００の耐久性を高めると共に、入力装置基板４２７及び基板搭載部品並びに基板取付構造に対して必要とされる強度を低く抑えて低コストで入力装置３００を製造し易くすることができる。
【０２０９】
入力装置基板４２７は、軸受部材３１２の外輪３６２より軸線Ｌ０に対して径方向外側に大きく離間した部位を有する形状とされているので、操作部３０１における上面操作部３０１ａの広範囲にわたって発光体４２４による光を効率良く照射して装飾性を高めることができる。
【０２１０】
また、フォトセンサ４２５，４２６が入力装置基板４２７の裏面側に搭載されているので、発光体４２４の設置領域が広げられた範囲においてフォトセンサ４２５，４２６を適切な位置に容易に設置することができる。よってフォトセンサ４２５，４２６に専用の基板を設置する必要がなく低コストで入力装置３００を製造し易くすることができる。
【０２１１】
さらに、軸受部材３１２によって破損し難く構成された入力装置基板４２７に複数のフォトセンサ４２５，４２６と発光体４２４とがまとめて搭載されている。このため、発光
体４２４が適切に発光し、且つ、操作部３０１の操作を確実に検知可能な入力装置３００の性能を長期間にわたって維持することができる。
【０２１２】
ボタンカバー３１５は、入力装置基板４２７に対して上方側より外縁を囲った状態とされている。このため、悪意をもった遊技者がボタンカバー３１５に液体などを振りかけて入力装置３００を故障させようとしても液体が入力装置基板４２７に到達し難くなる。よって、入力装置基板４２７に搭載されるフォトセンサ４２５，４２６等の故障を少なくして入力装置３００の性能を長期にわたって維持し易くすることができる。
【０２１３】
間隔Ｇ１を越える一定量以上の軸線Ｌ０に沿った押圧操作中には、シリコンゴム製の振動伝達部材３５２と、鋼製の金属板３７４の下面に相当する伝達部材当接面３１３ａとが当接し、金属板３７４の回転方向側への回動に対応する回転抵抗が増大し、その分、操作部３０１の回動操作に対する抵抗力が増大する（図１６（ａ）参照）。このため、一定量以上の押圧操作中においては遊技者の意図に反した回動操作が実行され難くなる。よって、回動操作に必要な操作力は軸受部材３１２により操作抵抗を少なく設定しつつも、一定量以上の押圧操作中における誤操作を少なくすることができ、遊技者の意図に合致した入力操作が実行し易い入力装置３００とすることができる。
【０２１４】
また、伝達部材当接面３１３ａは、シリコンゴム製の振動伝達部材３５２の上面よりも硬質な材料により形成されるので、伝達部材当接面３１３ａを形成する金属板３７４を通じて移動部材３７２の剛性を高めることができ、操作部３０１に過大な操作力が入力された場合等に対して耐衝撃性に優れた構成とすることができる。さらに、シリコンゴム製の振動伝達部材３５２の上面は、周方向における一部分に設けられているので、抵抗力を増大させる構造を設けることに伴う入力装置３００の大型化は抑制することができる。
【０２１５】
振動伝達部材３５２を通じて振動モータ３５１の振動動作が操作部３０１に伝達される。このため、振動モータ３５１の振動を操作部３０１に効率良く伝達することができ、且つ、操作部３０１を振動させるための機構と、抵抗力を増大させるための構成の一部を共通化して低コストで多機能の入力装置３００を製造し易くすることができる。
【０２１６】
伝達部材当接面３１３ａは、軸線を囲う環状に連続する一枚の金属板３７４の一部分により構成され、その金属板３７４は、操作部３０１と移動部材３７２を通じて一体化されている。このため、周方向における一部において振動伝達部材３５２と金属板３７４とが当接しても金属板３７４を通じて振動モータ３５１の振動動作が軸線Ｌ０を中心とする周方向全体に伝達し易くなる。よって、操作部３０１を大型に形成しても限られた振動モータ３５１の数で操作部３０１全体を効率良く振動させることができる。
【０２１７】
操作部３０１を形成するボタンカバー３１５は、移動部材３７２側が開口した蓋状をなし、その開口部分に対して下側に連続する形状とされて周方向に連続する移動部材３７２の外周壁部３９２と、その下側に位置する環状の金属板３７４とに一体化されている。このため、操作部３０１と移動部材３７２と金属板３７４とを組み合わせた操作部３０１を構成する一体化部材の剛性が高められ、振動モータ３５１の振動動作が操作部３０１に一層伝達し易くなる。よって、操作部３０１全体を効率良く振動させることができる。
【０２１８】
支持ユニット３１１（取付ベース３２１）の底面部３３２に取り付けられた振動モータ３５１及び振動伝達部材３５２の振動は、軸受部材３１２に周囲が囲われて剛性が高められた部位、すなわち底面部３３２より軸受部材３１２の径方向内側を経由して操作部３０１が位置する側に連続する部位には伝達され難い。当該部位には、装飾部３０２や操作部３０１の動作を検出するフォトセンサ４２５，４２６，４６３が取り付けられており、これにより、振動モータ３５１による振動動作を大きめに設定しつつも、装飾部３０２の破
損やフォトセンサ４２５，４２６，４６３の機能を長期にわたって維持し易くすることができる。
【０２１９】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０２２０】
上記実施形態におけるパチンコ機１０においては、入力装置３００は上側膨出部２８に操作部３０１を上側にして備えられる構成としたが、入力装置３００を下側膨出部２９等の他の位置に設置しても良いし、操作部３０１の向きについても操作部３０１がパチンコ機の前側を向き、パチンコ機の前後方向に軸線Ｌ０が連続する向きにする等、他の向きに入力装置３００を設置しても良い。また、入力装置３００の数についても２つ以上設置しても良いし、操作部３０１の形状、大きさについても、他の形状等としても良い。
【０２２１】
操作部３０１に対する入力操作も、押圧操作と回動操作とのうちいずれか一方の操作のみを可能としても良く、回動操作のみを可能とする場合には回動部材３７１と移動部材３７２とを一体化して構成しても良い。また、操作部３０１に対する入力操作は、押圧操作に限らず、操作部３０１を軸線Ｌ０に沿って引き出し操作可能としても良く、この場合には、操作部３０１に指をかける部位を設けることが好ましく、例えば、円弧状のレバーを表面側に突出して形成し、レバーの両端部分が操作部の上面に接続される構成としても良い。また、操作部３０１における遊技者の操作の検出として、タッチセンサ等の別のセンサを上面操作部３０１ａに取り付けるなど、別の操作検出機構を加えて入力装置３００を構成しても良い。
上記実施形態においては、操作部３０１の回動中心に相当する軸線Ｌ０を中心に装飾部３０２が回動する構成としたが、装飾部３０２の動作する態様として他の態様としても良く、装飾部３０２が軸線Ｌ０に沿って動作可能としても良いし、装飾部３０２が軸線Ｌ０に沿った移動と軸線Ｌ０を中心とする回動との両方の動作が可能に構成しても良い。また、装飾部３０２の回動動作は、操作部３０１の回動する軸線Ｌ０を中心にして必ずしも回動する必要はなく、装飾部３０２の回動中心と操作部３０１の回動中心とがずれた配置とされても良い。この場合においては、操作部３０１の回動中心軸線と、装飾部３０２の回動中心軸線とを略平行に配置することが好ましく、これにより、操作部３０１の回動操作方向や回動操作の実行を遊技者に分かり易く表現することができる。
【０２２２】
上記実施形態においては、装飾部３０２を構成する羽根部材４２２は、支持ユニット３１１（取付ベース３２１）の底面部３３２より軸受部材３１２の径方向内側を経由して操作部３０１が位置する上側に連続する部位に支持される構成としたが、これに限らず、軸受部材３１２の径方向内側に羽根部材４２２を支持する支軸部を形成しても良く、この場合であっても、軸受部材３１２により剛性が高められた部位において羽根部材４２２を支持することができ、動作可能な装飾部３０２の耐久性を高めて低コストで入力装置３００を製造し易くすることができる。
【０２２３】
上記実施形態においては、装飾部３０２を構成する羽根部材４２２は、支持ユニット３１１（取付ベース３２１）の底面部３３２より軸受部材３１２の径方向内側を経由して操作部３０１が位置する上側に連続する部位に支持される構成としたが、これに限らず、軸受部材３１２の径方向内側に羽根部材４２２を支持する支軸部を形成しても良く、この場合であっても、軸受部材３１２により剛性が高められた部位において羽根部材４２２を支持することができ、動作可能な装飾部３０２の耐久性を高めて低コストで入力装置３００を製造し易くすることができる。
【０２２４】
入力装置３００に設けられる電子部品としての回転モータ３０３及びフォトセンサ４２５，４２６，４６３が取り付けられる部位についても、羽根部材４２２の支持する部位と同様、必ずしも軸受部材３１２の径方向内側を経由した上側に連続する部位に取り付けられる構成とする必要はなく、軸受部材３１２の径方向内側に回転モータ３０３又はフォトセンサ４２５，４２６，４６３の少なくともいずれか１つが取り付けられても良い。
【０２２５】
上記実施形態においては、入力装置基板４２７には、フォトセンサ４２５，４２６，４６３と発光体４２４とをまとめて搭載する構成としたが、これに代えて、入力装置基板４２７にはフォトセンサ４２５，４２６，４６３のみを搭載し、発光体４２４は、別に専用の基板を設けてフォトセンサ４２５，４２６，４６３とは別に入力装置３００に取り付ける構成としても良い。また、操作部３０１の操作は、必ずしもフォトセンサ４２５，４２６により検知する構成とする必要はなく、他の形式のセンサにより操作部３０１の操作を検知しても良い。例えば、接触式のスイッチを被検知部３９７，３９８に対して当接可能に設けても良いし、磁気を検知する素子を用いて操作部３０１の操作を検知しても良い。
【０２２６】
上記実施形態においては、シリコンゴム製の振動伝達部材３５２と、鋼製の伝達部材当接面３１３ａとの接触により回転操作に対する抵抗力を増大させる構成としたが、他の材料の組合せにより回転操作に対する抵抗力を増大させても良いし、他の機構により抵抗力を増大させる構成としても良い。例えば、回転抵抗力を発生させる粘性流体が封入されたダンパの回動軸部分を金属板３７４に対して下側に対向し、且つ、一定量以上の押圧操作により金属板３７４に接触する位置に配置して回転操作に対する抵抗力を増大させても良いし、又は、回動部材３７１を回動させるための回動駆動手段としてのモータ（例えば、ステッピングモータ）を回動部材３７１に連結し、一定量以上の押圧操作時にはモータの磁力を制御して必要な回動抵抗力が生じるようにしても良い。
【０２２７】
上記実施形態においては、支持ユニット３１１に対して軸受部材３１２を介して回動部材３７１が軸線Ｌ０を中心に回動可能に取り付けられ、その回動部材３７１に対して移動部材３７２が軸線Ｌ０に沿った方向側に移動可能に支持される構成としたが、支持ユニットに対して動作ユニットの一部としての移動部材を軸線に沿った方向側にスライド移動可能に取り付け、移動部材に対して操作部と一体化された回動部材を回動可能に取り付ける構成としても良く、この場合には、回動部材に金属板を取り付けて伝達部材当接面を形成し、支持ユニットに設けられる振動伝達部材３５２が操作部の一定量の移動により伝達部材当接面に当接し、更なる押圧操作により回動部材が支持ユニット３１１のストッパ面に当接する構成としても良い。
【０２２８】
上記実施形態においては、振動モータ３５１の振動に伴い振動する振動伝達部材３５２が支持ユニット３１１に取り付けられ、一定量以上の押圧操作により振動伝達部材３５２が操作部３０１と一体化された金属板３７４に当接して操作部３０１に振動が伝達される構成としたが、この構成に限らず、振動モータ３５１を移動部材３７２に取り付けるなど、他の位置に取り付けても良い。
【０２２９】
上記実施形態においては、振動モータ３５１及び振動伝達部材３５２の組合せが軸線Ｌ０を中心とした周方向において１カ所にのみ配置されていたが、周方向において離間させて複数箇所に複数個設置しても良い。なお、少なくとも１カ所の振動モータ３５１は、遊技球の詰まりが発生する可能性のある側に近づけて配置することが好ましく、例えば、軸線Ｌ０を基準として、上側膨出部２８において遊技球が貯留される上皿２８ａを形成する上方側に開口した部分側に相当するパチンコ機１０の後方側や左斜め後方側に振動モータ３５１及び振動伝達部材３５２の組合せを配置しても良く、これにより、振動モータ３５１の振動により上皿２８ａにおける遊技球の詰まりを解消し易くすることができる。この場合においては、複数の遊技球が貯留される部位を構成する壁面の一部に振動伝達部材３
５２の一部を露出させても良く、これにより、更なる遊技球の詰まり防止作用を奏するものとすることができる。
【０２３０】
上記実施形態においては、装飾ベース４２１と取付ベース３２１とが別々に成形した部材を組み合わせて構成したが、必ずしも装飾ベース４２１と取付ベース３２１とを別々に成形して構成する必要はなく、一部品として一体成形して構成しても良い。
【０２３１】
上記実施形態における入力装置３００に、機械的なラッチ機構や電磁石等で操作部３０１を押圧状態に保持する押圧状態保持手段を付加しても良い。例えば、移動部材３７２の下側に固定される金属板３７４に対して下側であって、支持ユニット３１１に１又は複数の電磁石を対向して設置し、移動部材３７２が押圧操作された状態において一定の隙間を隔てつつ金属板３７４が近接し、その金属板３７４を下側に吸着するように磁力を発生させる押圧状態保持手段を設けても良い。操作部３０１に対して回動操作が実行されても、金属板３７４が環状に形成されているので、金属板３７４の下側には常時電磁石が位置する。このため、移動部材３７２の下側において局所的に磁力を発生させても金属板３７４を通じて移動部材３７２を下側に移動させるための力を生じさせることができ、低コストで押圧状態保持手段を構成することができる。
【０２３２】
上記実施形態における入力装置３００の装飾部３０２に代えて、周方向に複数種類のキャラクタが一定の角度間隔を隔てて配置される等、他の装飾部により構成しても良い。この場合において、キャラクタ又はキャラクタを構成する構成体の数と、ボタンカバー３１５の凹み部４０４の数とが対応することが好ましく、羽根の数の整数倍（例えば、２倍）の数の凹み部が周方向に等間隔に設けられている。羽根の数を整数（例えば、２）で除した数の凹み部が周方向に等間隔に設けられていても良い。これにより、ボタンカバー３１５に対して下側に重なるようにして視認される装飾体の見栄えを向上することができ、ボタンカバー３１５の回動操作速度や回動操作方向を示唆する演出においてもボタンカバー３１５と装飾体とが重なりつつ動作する見栄えの良い装飾を入力装置３００に付加することができる。
【０２３３】
本発明を上記実施形態とは異なるタイプのパチンコ機等に実施しても良い。例えば、一度大当たりすると、それを含めて複数回（例えば２回、３回）大当たり状態が発生するまで、大当たり期待値が高められるようなパチンコ機として実施しても良い。また、大当たり図柄が表示された後に、所定の領域に球が入賞することを必要条件として特別遊技状態となるパチンコ機として実施しても良い。また、大当たり等の抽選機能のないいわゆる普通機として採用されても良い。球が所定の入賞口に入ることで特別遊技状態となるパチンコ機として実施しても良い。また、球が循環する封入式のパチンコ機に実施しても良い。さらに、パチンコ機以外にも、アレンジボール型パチンコ、雀球等の各種遊技機として実施するようにしても良い。
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシン等に本発明を適用しても良い。
【０２３４】
外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機に本発明を適用しても良い。スロットマシン等のスタートレバーの操作により回転するリールを有する遊技機における遊技領域としては、表示窓から視認可能な特定図柄の表示さ
れる領域が該当する。
【０２３５】
＜上記実施形態から抽出される発明＞
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０２３６】
遊技機の一種であるパチンコ機等には、遊技者によって入力操作が行われる入力操作手段として入力装置が設けられる。入力装置としては、押しボタンや、前後左右に傾倒可能な操作レバー、或いは、回転操作式のダイヤルなどが挙げられる。遊技中や、遊技待ちのデモ画面の表示中において、遊技者は、入力装置を通じて演出の選択や決定操作を実行することができ、その操作がなされた場合には、演出を表示する表示画面において操作に対応した表示がなされたり、入力装置の操作部及びその周辺部分が発光したりして、機種に対応した演出が実行可能とされている（例えば、特開２０１１−５１８１号公報参照）。
【０２３７】
＜特徴Ａ群＞
従来の遊技機において、入力装置を操作した場合に入力装置自体又はその周辺部分が発光するだけでは、他の遊技機メーカーや他機種との差別化が図り難い。このため、入力装置及びその周辺部分における装飾を用いた演出には改善の余地がある可能性がある。
【０２３８】
＜特徴Ａ１＞
遊技者によって操作可能な操作部（操作部３０１）を有する入力操作手段（入力装置３００）を備えた遊技機において、
前記操作部は、透光性を有する材料により形成され、遊技者によって操作される操作面の反対側に位置する内部領域が遊技者から透視可能に構成され、
該内部領域には、前記操作部に対して遊技者が所定の操作をした場合における該操作部の変位方向と同一方向側又は逆側に少なくとも変位可能であって遊技者から視認可能な装飾部（装飾部３０２）が設けられていることを特徴とする遊技機。
【０２３９】
特徴Ａ１に記載の遊技機によれば、演出効果の高い入力操作手段を備えた遊技機を提供することができる。すなわち、遊技者による操作部に対する所定の操作が行われる前に装飾部を変位動作させることで遊技者に対して必要な操作方向を示唆したり、所定の操作の後に当該操作と同方向又は逆方向に装飾部を変位させることにより所定の操作が行われたことを分かり易く示すことができる。よって、演出効果の高い遊技機とすることができる。
【０２４０】
なお、変位方向としては、所定の軸線に沿った移動方向若しくは所定の軸線を中心とする回動方向、又は、移動方向若しくは回動方向を複数組み合わせた方向が含まれる。
【０２４１】
＜特徴Ａ２＞
前記入力操作手段は、前記操作部を変位可能に支持する支持部材（支持ユニット３１１）と、
該支持部材によって所定の軸線を中心とする周方向側に回動可能に支持される回動部材（回動部材３７１）と、
該回動部材と前記支持部材との間に介在する軸受部材（軸受部材３１２）と、
前記回動部材によって前記軸線に沿って移動可能に支持され、前記操作部と一体的に動作する移動部材（移動部材３７２）とを備え、
前記軸受部材は、前記軸線を中心とする環状の内輪（内輪３６１）と、該内輪の外周側
に配置される環状の外輪（外輪３６２）と、該外輪と前記内輪との間に転動可能に介在する転動体（球体３６３）とを有し、
前記支持部材は、
前記軸受部材を基準として前記操作部とは反対側に設けられるベース部（底面部３３２）と、
該ベース部より前記操作部が位置する一方側に突出する部位であって、前記軸受部材の内輪を前記軸線に近い径方向内側において支持する内輪支持部（軸受固定部３３３）と、を有し、
前記装飾部は、前記ベース部より前記軸受部材の径方向内側に連続した部位に設けられる装飾支持部、又は、前記ベース部より前記軸受部材の径方向内側を経由して前記操作部が位置する側に連続した部位に設けられる装飾支持部（支軸部４３７）に動作可能に支持されていることを特徴とする特徴Ａ１記載の遊技機。
【０２４２】
特徴Ａ２記載の遊技機によれば、操作部と一体的に動作する移動部材は回動部材によって軸線に沿って移動可能に支持されており、回動部材が軸受部材を間に介在させた状態にして支持部材に回動可能に支持されている。このため、操作部に対する回動操作に対して回動部材の回動抵抗が少なくなり、操作部をスムースに回動可能とした入力操作手段とすることができる。
【０２４３】
また、装飾部を動作可能に支持する装飾支持部は、ベース部より軸受部材の径方向内側に連続した部位に設けられ、又は、ベース部より軸受部材の径方向内側を経由して操作部が位置する側に連続する部位に設けられる。このため、ベース部に対して内輪と外輪とにより二重に囲われた高剛性の部位か、又は、その高剛性の部位を経由した先側に装飾部が取り付けられることとなる。よって、遊技者により操作部が強打されても、装飾部への影響を少なくすることができ、装飾部及び装飾支持部の破損を防止して装飾部の耐久性を高めると共に、装飾部に対して必要とされる強度を低く抑えて低コストで入力操作手段を製造し易くすることができる。
【０２４４】
なお、特徴Ａ２記載の遊技機において、内輪支持部は、軸線を中心とした略円筒状に形成され、内輪支持部を基準として前記ベース部とは逆側に連続する部位に装飾支持部が設けられることとしても良く、この場合には、内輪支持部の剛性を高く構成し易く、その先側に連続する装飾支持部に対する操作部への強打の影響を低くすることができる。
【０２４５】
＜特徴Ａ３＞
前記装飾部を動作させる駆動力を発生する駆動手段（回転モータ３０３）を備え、
該駆動手段は、前記ベース部より前記軸受部材の径方向内側に連続した部位に設けられる駆動手段取付部、又は、前記ベース部より前記軸受部材の径方向内側を経由して前記操作部が位置する側に連続した部位に設けられる駆動手段取付部（装飾ベース４２１の下板部４３４）に取り付けられていることを特徴とする特徴Ａ２記載の遊技機。
【０２４６】
特徴Ａ３記載の遊技機によれば、内輪と外輪とにより二重に囲われた高剛性の部位か、又は、その高剛性の部位を経由した部位に設けられる駆動手段取付部に駆動手段が取り付けられる。よって、駆動手段及びその周辺部の破損を防止して駆動手段の耐久性を高めると共に、駆動手段に入力される外力が低く抑えられることにより適用可能な駆動手段の種類を増大し、入力操作手段を低コストで製造し易くすることができる。
【０２４７】
＜特徴Ａ４＞
前記支持部材は、前記ベース部より前記操作部が位置する一方側に突出する部位であって、前記軸受部材の外輪に対して前記軸線から離間した径方向外側に設けられる外側突出部（外壁３３１）を有し、
該外側突出部には、前記軸線に沿って移動する前記移動部材に当接して当該移動部材の移動を制限するストッパ面（ストッパ面３４１）が設けられていることを特徴とする特徴Ａ２又はＡ３のいずれかに記載の遊技機。
【０２４８】
特徴Ａ４記載の遊技機によれば、ストッパ面が外側突出部に設けられ、ベース部を基準として径方向外側において移動部材の移動が制限される。装飾部は、ベース部を基準としてストッパ面とは反対側に相当する径方向内側に連続する装飾支持部に支持されるので、遊技者の操作によってストッパ面に入力された操作力を装飾支持部側へ伝達し難くすることができる。よって、遊技者によって移動部材が軸線に沿った方向側に強力に移動操作されても、その操作力が装飾支持部側に作用する割合を抑えることができ、装飾支持部に設けられる装飾部等に対して作用する外力を低減して装飾部の耐久性を高めつつ低コストで入力操作手段を製造し易くすることができる。
【０２４９】
なお、特徴Ａ４記載の遊技機において、外側突出部は、軸線を囲う略筒状に形成されているものとしても良いし、軸線に沿った方向側に厚みを有する略板状のベース部に対して外側突出部と内輪支持部とが軸線を中心とする２重の略円筒状に突出形成されるものとしても良い。これにより、耐衝撃性に優れた入力操作手段とすることができる。
【０２５０】
＜特徴Ａ５＞
前記操作部は、前記軸線に沿った一方側であって前記ベース部に近づく押圧操作方向側に移動操作可能に構成され、
前記入力操作手段は、前記支持部材のベース部に対して前記押圧操作方向側に遊技機本体の一部が重なりつつ当接し、
前記操作部に対する前記押圧操作方向側への操作力が前記内輪支持部を経由することな
く前記ストッパ面から前記外側突出部と前記ベース部とを経由して遊技機本体に伝達されることを特徴とする特徴Ａ４に記載の遊技機。
【０２５１】
特徴Ａ５記載の遊技機によれば、遊技者の操作による操作部に対する押圧操作方向側への操作力が内輪支持部を経由することなく遊技機本体に伝達されるので、遊技者によって移動部材が軸線に沿った方向側に強力に移動操作されても、その操作力が内輪支持部側に作用する割合を抑えることができ、内輪支持部より径方向内側を経由した部位等に設けられる装飾部等に対して作用する外力は一層低く抑えることができる。また、外側突出部において径方向外側に突出する鍔状部分によって遊技機本体に押圧操作方向側への操作力が伝達される構成と比較して入力操作手段及び遊技機本体の局部に応力が集中する状況を生じ難くして耐衝撃性に優れた構成とすることができる。
【０２５２】
＜特徴Ｂ群＞
従来の遊技機において、入力装置の操作部は、遊技者が直接接触する部分であるので、強力な打撃を加えられる可能性もあるために耐久性を高め、また、遊技者が操作した場合の操作感を良好なものとすることが望まれるものの、製造コストの上昇は抑える必要がある。このため、入力装置及びその周辺部分における構造には改善の余地がある可能性がある。
【０２５３】
＜特徴Ｂ１＞
遊技者によって操作可能な操作部（操作部３０１）を有する入力操作手段（入力装置３００）を備えた遊技機において、
前記入力操作手段は、前記操作部を変位可能に支持する支持部材（支持ユニット３１１）と、
該支持部材によって所定の軸線を中心とする周方向側に回動可能に支持され、前記操作部と一体的に回動する回動部材（回動部材３７１）と、
該回動部材と前記支持部材との間に介在する軸受部材（軸受部材３１２）と、
前記回動部材の回動動作を検出する回動検出手段と（フォトセンサ４２６）、を有し、
前記支持部材は、
前記軸受部材を基準として前記操作部とは反対側に設けられるベース部（底面部３３２）と、
該ベース部より前記操作部が位置する一方側に突出する部位であって、前記軸受部材を前記軸線に近い径方向内側において支持する内輪支持部（軸受固定部３３３）と、を有し、
前記入力操作手段は、前記ベース部より前記軸受部材の径方向内側を経由して前記操作部が位置する側に連続した部位（装飾ベース４２１の本体部４３１）に取り付けられ、前記回動検出手段が搭載される変位検出基板（入力装置基板４２７）を備えていることを特徴とする遊技機。
【０２５４】
特徴Ｂ１記載の遊技機によれば、操作性及び耐久性に優れた入力操作手段を低コストで製造し易くすることができる。すなわち、操作部と一体的に動作する回動部材が軸受部材を間に介在させた状態にして支持部材に回動可能に支持されている。このため、操作部に対する回動操作に対して回動部材の回動抵抗が少なくなり、操作部をスムースに回動可能とした入力操作手段とすることができる。
【０２５５】
また、変位検出基板は、ベース部より軸受部材の径方向内側を経由して操作部が位置する側に連続する部位に取り付けられているので、遊技者により操作部が強打されても、変位検出基板への影響を少なくすることができる。よって、変位検出基板に搭載される回動検出手段を含む電子部品の破損を防止して入力操作手段の耐久性を高めると共に、変位検出基板及び基板搭載部品並びに基板取付構造に対して必要とされる強度を低く抑えて低コストで入力操作手段を製造し易くすることができる。
【０２５６】
＜特徴Ｂ２＞
遊技者によって操作可能な操作部（操作部３０１）を有する入力操作手段（入力装置３００）を備えた遊技機において、
前記入力操作手段は、前記操作部を変位可能に支持する支持部材（支持ユニット３１１）と、
該支持部材によって所定の軸線を中心とする周方向側に回動可能に支持される回動部材（回動部材３７１）と、
該回動部材と前記支持部材との間に介在する軸受部材（軸受部材３１２）と、
前記回動部材によって前記軸線に沿って移動可能に支持され、前記操作部と一体的に動作する移動部材（移動部材３７２）と、
該移動部材の移動動作を検出する移動検出手段（フォトセンサ４２５）と、
前記回動部材の回動動作を検出する回動検出手段と（フォトセンサ４２６）、を有し、
前記軸受部材は、前記軸線を中心とする環状の内輪（内輪３６１）と、該内輪の外周側に配置される環状の外輪（外輪３６２）と、該外輪と前記内輪との間に転動可能に介在する転動体（球体３６３）とを有し、
前記支持部材は、
前記軸受部材を基準として前記操作部とは反対側に設けられるベース部（底面部３３２）と、
該ベース部より前記操作部が位置する一方側に突出する部位であって、前記軸受部材の内輪を前記軸線に近い径方向内側において支持する内輪支持部（軸受固定部３３３）と、を有し、
前記入力操作手段は、前記ベース部より前記軸受部材の径方向内側を経由して前記操作部が位置する側に連続した部位（装飾ベース４２１の本体部４３１）に取り付けられ、前記移動検出手段と前記回動検出手段とのうち少なくとも一方が搭載される変位検出基板（
入力装置基板４２７）を備えていることを特徴とする遊技機。
【０２５７】
特徴Ｂ２記載の遊技機によれば、操作性及び耐久性に優れた入力操作手段を低コストで製造し易くすることができる。すなわち、操作部と一体的に動作する移動部材は回動部材によって軸線に沿って移動可能に支持されており、回動部材が軸受部材を間に介在させた状態にして支持部材に回動可能に支持されている。このため、操作部に対する回動操作に対して回動部材の回動抵抗が少なくなり、操作部をスムースに回動可能とした入力操作手段とすることができる。
【０２５８】
また、変位検出基板は、ベース部より軸受部材の径方向内側を経由して操作部が位置する側に連続する部位に取り付けられているので、内輪と外輪とにより二重に囲われた高剛性の部位を経由した部位に変位検出基板が取り付けられることとなる。このため、遊技者により操作部が強打されても、変位検出基板への影響を少なくすることができる。よって、変位検出基板に搭載される移動検出手段と回動検出手段との少なくともいずれかを含む電子部品の破損を防止して入力操作手段の耐久性を高めると共に、変位検出基板及び基板搭載部品並びに基板取付構造に対して必要とされる強度を低く抑えて低コストで入力操作手段を製造し易くすることができる。
【０２５９】
なお、特徴Ｂ２記載の遊技機において、内輪支持部は、軸線を中心とした略円筒状に形成され、内輪支持部を基準として前記ベース部とは逆側に連続する部位に変位検出基板が取り付けられることとしても良く、この場合には、内輪支持部の剛性を高く構成し易く、且つ、その先側に連続する部位に取り付けられる変位検出基板に対する操作部への強打の影響を低くすることができる。
【０２６０】
＜特徴Ｂ３＞
前記操作部は、前記変位検出基板に対して前記一方側に重なる位置に配置され、前記軸方向側を厚み方向とし、前記軸受部材の外輪より前記軸線から離間する径方向外側に大きく連続する第1操作面部（上面操作部３０１ａ）と、該第1操作面部の外周部分より前記ベース部に近づく側に連続する筒状の第２操作面部（周面操作部３０１ｂ）とを有し、
前記変位検出基板は、前記内輪支持部を基準として前記ベース面部とは反対側に連続する所定位置に取り付けられると共に前記軸受部材の外輪より前記軸線に対して径方向外側に大きく離間した部位を有する形状とされ、
前記変位検出基板において前記一方側を向く表面側には、前記操作部を発光させる操作部発光手段（発光体４２４）が複数箇所に搭載され、
前記変位検出基板の裏面側には、前記移動検出手段と前記回動検出手段とが搭載されていることを特徴とする特徴Ｂ２記載の遊技機。
【０２６１】
特徴Ｂ３記載の遊技機によれば、変位検出基板は、軸受部材の外輪より軸線に対して径方向外側に大きく離間した部位を有する形状とされているので、操作部における第１操作面部の広範囲にわたって操作部発光手段による光を効率良く照射して装飾性を高めることができる。
【０２６２】
また、移動検出手段と回動検出手段とが変位検出基板の裏面側に搭載されているので、操作部発光手段の設置領域が広げられた範囲において移動検出手段と回動検出手段とを適切な位置に容易に設置することができる。よって、移動検出手段及び回動検出手段に専用の基板を設置する必要がなく低コストで入力操作手段を製造し易くすることができる。
【０２６３】
さらに、軸受部材によって破損し難く構成された変位検出基板に複数の検出手段と操作部発光手段とがまとめて搭載されている。このため、操作部発光手段が適切に発光し、且つ、操作部の操作を確実に検知可能な入力操作手段の性能を長期間にわたって維持するこ
とができる。
【０２６４】
＜特徴Ｂ４＞
前記操作部は、上方側を向く面を一部として有し、少なくとも下側へ移動操作可能に構成された透光性を有する合成樹脂製のカバー体（ボタンカバー３１５）の一部として形成され、
前記カバー体は、前記操作部の一部として上方側を向く上面部（特徴Ｂ３における第１操作面部、上面操作部３０１ａ）と、該上面部の外周部分より下側に連続する筒状の外周部（特徴Ｂ３における第２操作面部、周面操作部３０１ｂ）とを有し、
前記外周部は、少なくとも前記変位検出基板の外縁を囲いつつ前記操作方向側に連続する長さとされていることを特徴とする特徴Ｂ２又はＢ３に記載の遊技機。
【０２６５】
特徴Ｂ４記載の遊技機によれば、変位検出基板に対してカバー体が上方側より外縁を囲った状態とされるので、悪意をもった遊技者がカバー体に液体などを振りかけて入力操作手段を故障させようとしても液体が変位検出基板に到達し難くなる。よって、変位検出基板に搭載される移動検出手段及び回動検出手段の故障を少なくして入力操作手段の性能を長期にわたって維持し易くすることができる。
【０２６６】
＜特徴Ｂ５＞
前記入力操作手段は、前記軸線に沿って前記一方側に前記移動部材を付勢する付勢手段（コイルバネ３７３）を有し、
前記支持部材は、前記一方側に突出する部位であって、前記軸受部材の外輪に対して前記軸線から離間した径方向外側に設けられる外側突出部（外壁３３１）を有し、
前記付勢手段は、前記軸受部材の外輪と、前記外側突出部との間に形成される隙間空間に少なくとも一部が位置した状態にして前記回動部材と前記移動部材との間に設置されていることを特徴とする特徴Ｂ２からＢ４のいずれかに記載の遊技機。
【０２６７】
特徴Ｂ５記載の遊技機によれば、軸受部材を有する入力操作手段を軸線に沿った方向側において薄く形成することができ、遊技領域を大型化したり、球を貯留する皿部材の設置領域を確保したりし易くすることができる。
【０２６８】
＜特徴Ｂ６＞
前記操作部は、前記変位検出基板に対して前記一方側に重なる位置に配置され、前記軸方向側を厚み方向とし、前記軸受部材の外輪より前記軸線から離間する径方向外側に大きく連続する第1操作面部（上面操作部３０１ａ）と、
該第1操作面部の外周部分より前記ベース部に近づく側に連続する筒状の第２操作面部
（周面操作部３０１ｂ）とを有し、
前記第1操作面部と前記第２操作面部とが連続する角部分には、内側に凹んだ形状の凹
み部が周方向に点在し、
該凹み部は、前記第1操作面部に対して前記軸線から離間する径方向外側であって前記
ベース部に近づく側に連続する凹底部（凹底部４０６）と、
該凹底部に対して周方向に沿った両側において前記一方側又は前記径方向外側の少なくとも一方に突出形成された複数の操作突部（操作突部４０５）とを有する形状をなし、
該操作突部は、前記軸線に近づく径方向内側ほど周方向側の長さが短く形成されていることを特徴とする特徴Ｂ２からＢ５のいずれかに記載の遊技機。
【０２６９】
特徴Ｂ６記載の遊技機によれば、遊技者は、第1操作面部を利用して操作部を軸方向に
沿って押圧して移動操作し、第２操作面部側を利用して操作部を周方向に回動操作することができる。
【０２７０】
ここで、凹み部を構成する凹底部が第１操作面部に対して軸線から離間する径方向外側に連続しているので、第１操作面部と凹底部とのうちいずれか一方に接触している指先を他方に滑らせて、押圧操作と回動操作との切り替えを良質な感触をもって簡易に実行することができる。また、凹底部に対して周方向に沿った両側に操作突部が設けられているので、遊技者は、凹底部に位置する指先を周方向側に回動することにより操作突部に指先を引っかけて操作部を容易に回動操作することができる。
【０２７１】
さらに、操作突部は、軸線に近づく径方向内側ほど周方向側の長さが短く形成されているので、押圧操作面部と連続操作面部との指先の移動に際して操作突部における径方向内側端部に指先が引っかかり難く、周方向において隣り合う操作突部の間に位置する凹底部に指先を適切に移動することができる。
【０２７２】
＜特徴Ｂ７＞
前記操作突部は、その最大突出部分と前記軸線とを含む断面視において、前記押圧操作面部に対して前記軸線から離間する径方向外側に略面一に連続する形状、又は、前記押圧操作面部に対して前記ベース部に近い側に位置して段差を形成する形状とされていることを特徴とする特徴Ｂ６に記載の遊技機。
【０２７３】
特徴Ｂ７記載の遊技機によれば、押圧操作面部から連続操作面部への指先への移動を一層スムースに実施可能とすることができる。
【０２７４】
＜特徴Ｃ群＞
従来の遊技機において、回転操作可能なダイヤルなどを押し込んで決定操作を実行するなど、軸線に沿った移動操作と軸線を中心とする回動操作とを実行可能に入力装置を構成することも考えられる。しかしながら、回転抵抗力を少なくすることにより操作抵抗の少ないスムースな操作性を実現しようとすると、その分、移動操作に際して回動操作が実行されてしまう虞があり、遊技者の意図に反した入力操作となってしまう可能性がある。
【０２７５】
＜特徴Ｃ１＞
遊技者によって軸線に沿った移動操作と該軸線を中心とする回動操作とが可能な操作部（操作部３０１）を有する入力操作手段（入力装置３００）を備えた遊技機において、
前記入力操作手段は、遊技者による前記操作部に対する回動操作を検出するものであって所定の移動操作中における回動操作を検出可能な回動検出手段（フォトセンサ４２６）と、
遊技者によって前記所定の移動操作が実行された場合に前記操作部の回動操作に対する抵抗力を増大する抵抗増大手段（振動伝達部材３５２の上面）とを備えていることを特徴とする遊技機。
【０２７６】
特徴Ｃ１記載の遊技機によれば、スムースな操作性を実現しつつ、遊技者の意図に反した入力操作を低減可能な遊技機を提供することができる。すなわち、所定の移動操作中における操作部の回動操作に対しては、操作部の回動操作に対する抵抗力が増大するので、所定の移動操作中においては遊技者の意図に反した回動操作が実行され難くなる。よって、所定の移動操作の実行前における回動操作に必要な操作力は操作抵抗を少なく設定しつつも、所定の移動操作中における誤操作を少なくすることができ、遊技者の意図に合致した入力操作が実行し易い入力操作手段とすることができる。
【０２７７】
＜特徴Ｃ２＞
前記入力操作手段は、前記入力操作手段を遊技機本体に固定するための固定部が設けられ、前記操作部を変位可能に支持する支持部材（支持ユニット３１１）と、
前記軸線に沿った移動又は前記軸線を中心とする回動が可能に該支持部材に支持される
仲介部材（回動部材３７１）と、
該仲介部材を介して前記支持部材に支持され、前記支持部材に対して前記軸線に沿った移動と、前記軸線を中心とする回動とが可能とされた操作部構成部材（移動部材３７２と金属板３７４とボタンカバー３１５との組合せ）とを備え、
前記操作部構成部材には、前記軸線から離間した位置において前記操作部の移動方向先端側を向き、前記周方向に連続して設けられた操作部側当接面（伝達部材当接面３１３ａ）が設けられ、
前記抵抗増大手段は、前記支持部材の一部を構成し、前記周方向に沿った一部分において前記操作部側当接面に対向して設けられ、前記操作部側当接面に比べて軟質材料により構成され、前記所定の移動操作として前記軸線に沿った一定量以上の移動操作を前記操作部に対して実行した場合に前記操作部側当接面に当接する軟質被当接面（振動伝達部材３５２の上面）を備えていることを特徴とする特徴Ｃ１記載の遊技機。
【０２７８】
特徴Ｃ２記載の遊技機によれば、操作部に対して軸線に沿った一定量以上の移動操作を実行した場合には軟質被当接面に操作部側当接面が当接し、当接前に比べて回動方向側への抵抗力が増大する。よって、操作部に対する所定の移動操作中における誤操作を少なくすることができる。
【０２７９】
また、操作部側当接面は、軟質被当接面よりも硬質な材料により形成されるので、操作部構成部材の剛性を高めることができ、操作部に過大な操作力が入力された場合等に対して耐衝撃性に優れた構成とすることができる。さらに、軟質被当接面は、周方向における一部分に設けられているので、抵抗増大手段を設けることに伴う入力操作手段の大型化は抑制することができる。
【０２８０】
＜特徴Ｃ３＞
前記操作部を振動させるために振動動作する振動手段（振動モータ３５１）と、
該振動手段を内側に装着可能な筒状の部位を有する振動伝達部材（振動伝達部材３５２）とを備え、
前記軟質被当接面が前記振動伝達部材の外面の一部により構成されていることを特徴とする特徴Ｃ２記載の遊技機。
【０２８１】
特徴Ｃ３記載の遊技機によれば、振動伝達部材を通じて振動手段の振動動作を操作部に効率良く伝達することができ、且つ、操作部を振動させるための機構と、抵抗増大手段との構成を共通化して低コストで入力操作手段を製造し易くすることができる。
【０２８２】
＜特徴Ｃ４＞
前記操作部構成部材は、樹脂製の操作ベース部材（移動部材３７２）と、該操作ベース部材に取り付けられ、前記軸線に沿った方向側を厚み方向とし、前記軸線を囲う環状に連続する一枚の金属板（金属板３７４）とを備え、前記操作部側当接面が前記金属板の一部分により構成されていることを特徴とする特徴Ｃ２又はＣ３記載の遊技機。
【０２８３】
特徴Ｃ４記載の遊技機によれば、操作ベース部材が金属板により補強されるので、操作部構成部材の剛性を高めて耐衝撃性に優れた構成とすることができる。
【０２８４】
また、特徴Ｃ３に従属する特徴Ｃ４記載の遊技機においては、周方向における一部において振動伝達部材と金属板とが当接しても金属板を通じて振動手段の振動動作が軸線を中心とする周方向全体に伝達し易くなる。よって、操作部を比較的大型に形成しても操作部全体を効率良く振動させることができる。
【０２８５】
＜特徴Ｃ５＞
前記仲介部材は、前記支持部材によって前記軸線を中心とする周方向側に回動可能に支持され、
前記操作部構成部材は、前記仲介部材によって前記軸線に沿って移動可能に支持され、前記操作部と一体的に動作し、
前記入力操作手段は、前記回動部材と前記支持部材との間に介在する軸受部材（軸受部材３１２）を有し、
該軸受部材は、前記軸線を中心とする環状の内輪（内輪３６１）と、該内輪の外周側に配置される環状の外輪（外輪３６２）と、該外輪と前記内輪との間に転動可能に介在する転動体（球体３６３）とを有し、
前記支持部材は、
前記軸受部材を基準として前記操作部とは反対側に設けられるベース部（底面部３３２）と、
該ベース部より前記操作部が位置する一方側に突出する部位であって、前記軸受部材の内輪を前記軸線に近い径方向内側において支持する内輪支持部（軸受固定部３３３）と、を有し、
前記操作部構成部材は、前記軸受部材の外輪より径方向外側において前記ベース部側に連続する筒状の外周壁部（外壁３３１）を有し、
前記金属板は、前記外周壁部に対して前記ベース部に近い側の端部に取り付けられ、
前記振動手段と前記振動伝達部材とが前記ベース部に取り付けられていることを特徴とする特徴Ｃ４記載の遊技機。
【０２８６】
特徴Ｃ５記載の遊技機によれば、操作部構成部材の外周壁部と金属板とによって操作部構成部材の剛性が高められているので、金属板と外周壁部とを通じて振動手段の振動動作が操作部に伝達し易くなる。よって、操作部全体を効率良く振動させることができる。
【０２８７】
また、ベース部に取り付けられた振動手段及び振動伝達部材の振動は、軸受部材に周囲が囲われて剛性が高められた部位、すなわちベース部より軸受部材の径方向内側を経由して操作部が位置する側に連続する部位には伝達され難い。このため、当該部位に装飾部や操作部の動作を検出する検出手段を取り付けることにより、振動手段による振動動作を大きめに設定しつつも、装飾部の破損や検出手段の機能を長期にわたって維持し易くすることができる。
【０２８８】
なお、特徴Ａ１〜Ａ５、特徴Ｂ１〜Ｂ７及び特徴Ｃ１〜Ｃ５に記載の少なくとも１つの特徴を他のいずれか又は複数の特徴に組み合わせて適用しても良い。以下には、上記した各特徴を適用し得る遊技機の基本構成を示す。
【０２８９】
パチンコ遊技機：遊技者が操作する発射操作手段と、その発射操作手段の操作に基づいて遊技球を発射する遊技球発射手段と、その発射された遊技球を所定の遊技領域に導く通路部と、遊技領域内に配置された各遊技部品とを備え、それら各遊技部品のうち所定の通過部を遊技球が通過した場合に遊技者に特典を付与する遊技機。
【０２９０】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、そ
の停止後の絵柄に応じて遊技者に特典を付与する遊技機。
【産業上の利用可能性】
【０２９１】
以上のように、この発明は、パチンコ機等の遊技機に適している。
【符号の説明】
【０２９２】
１０…パチンコ機、３００…入力装置、３０１…操作部、３０１ａ…上面操作部、３０１ｂ…周面操作部、３０２…装飾部、３０３…回転モータ、３１１…支持ユニット、３１２…軸受部材、３１５…ボタンカバー、３３１…外壁、３３２…底面部、３３３…軸受固定部、３４１…ストッパ面、３５２…振動伝達部材、３６１…内輪、３６２…外輪、３６３…球体、３７１…回動部材、３７２…移動部材、３７３…コイルバネ、３７４…金属板、４０５…操作突部、４０６…凹底部、４２１…装飾ベース、４２４…発光体、４２５，４２６…フォトセンサ、４３４…下板部、４３７…支軸部
【図１】
2018043051.tif 000003
【図２】
2018043051.tif 000004
【図３】
2018043051.tif 000005
【図４】
2018043051.tif 000006
【図５】
2018043051.tif 000007
【図６】
2018043051.tif 000008
【図７】
2018043051.tif 000009
【図８】
2018043051.tif 000010
【図９】
2018043051.tif 000011
【図１０】
2018043051.tif 000012
【図１１】
2018043051.tif 000013
【図１２】
2018043051.tif 000014
【図１３】
2018043051.tif 000015
【図１４】
2018043051.tif 000016
【図１５】
2018043051.tif 000017
【図１６】
2018043051.tif 000018
【図１７】
2018043051.tif 000019
【図１８】
2018043051.tif 000020
【図１９】
2018043051.tif 000021
【図２０】
2018043051.tif 000022
【図２１】
2018043051.tif 000023
【図２２】
2018043051.tif 000024
【図２３】
2018043051.tif 000025
【図２４】
2018043051.tif 000026